(57)【要約】【課題】  高速に主回線と予備回線を切り替えることを可能にする。【解決手段】  本発明は、通信回線障害時にデータリンク層でリンクを制御するリンク制御装置において、主データ入出力ポートと予備データ入出力ポートと障害検出信号入力ポートを備え、主データ入出力ポートに接続されたメディアコンバータから電圧や受信レベルの低下による障害検出信号が、障害検出信号入力ポートに入力され、コントローラを介してイーサネット（登録商標）スイッチ素子に転送されることにより予備データ入出力ポートに瞬時に回線を切り替える。【選択図】  図１
2006174287.tif 000002
【特許請求の範囲】
【請求項１】
データ通信に用いられる装置であり、通信回線の障害時に、データリンク層においてリンクを制御するリンク制御装置であって、
前記リンク制御装置は、
データスイッチ素子と、
前記データスイッチ素子と接続されるコントローラと、
前記データスイッチ素子と接続される第１のデータ入出力ポートと、
前記データスイッチ素子と接続される第２の主データ入出力ポートと、
前記データスイッチ素子と接続される第２の予備データ入出力ポートと、
前記コントローラと接続される障害検出信号入力ポートと、
を備え、
前記データスイッチ素子は、
前記コントローラが、前記障害検出信号入力ポートを介して、前記第２の主データ入出力ポートに接続されている通信回線に障害が発生していないことを示す信号を受信しているとき、前記第１のデータ入出力ポートより入力されたデータを前記第２の主データ入出力ポートに転送し、かつ、該第２の主データ入出力ポートより入力されたデータを該第１のデータ入出力ポートに転送し、かつ、前記第２の予備データ入出力ポートより入力されたデータを該第１のデータ入出力ポートに転送する手段と、
前記コントローラが、前記障害検出信号入力ポートを介して、前記第２の主データ入出力ポートに接続されている通信回線に障害が発生していることを示す信号を受信しているとき、前記第１のデータ入出力ポートより入力されたデータを前記第２の予備データ入出力ポートに転送し、かつ、該第２の予備データ入出力ポートより入力されたデータを該第１のデータ入出力ポートに転送する手段と、
を有することを特徴とするリンク制御装置。
【請求項２】
前記データスイッチ素子は、
前記コントローラが、前記障害検出信号入力ポートを介して、前記第２の主データ入出力ポートに接続されている通信回線に障害が発生していないことを示す信号を受信しているとき、前記第１のデータ入出力ポートより入力されたデータを、該第２の主データ入出力ポートあるいは、前記第２の予備データ入出力ポートに転送し、かつ、該第２の主データ入出力ポートと該第２の予備データ入出力ポートより入力されたデータを多重し、該第１のデータ入出力ポートに転送する手段と、
前記コントローラが、前記障害検出信号入力ポートを介して第２の主データ入出力ポートに接続されている通信回線に障害が発生していることを示す信号を受信しているとき、前記第１のデータ入出力ポートより入力されたデータを前記第２の予備データ入出力ポートに転送し、かつ、該第２の予備データ入出力ポートより入力されたデータを該第１のデータ入出力ポートに転送する手段と、を有する請求項１記載のリンク制御装置。
【請求項３】
データ通信に用いられる装置であり、通信回線の障害時に、データリンク層においてリンクを制御するリンク制御装置であって、
前記リンク制御装置は、
データスイッチ素子と、
前記データスイッチ素子と接続されるコントローラと、
前記データスイッチ素子と接続される第１のデータ入出力ポートと、
前記データスイッチ素子と接続される第２の主データ入出力ポートと、
前記データスイッチ素子と接続される第２の予備データ入出力ポートと、
前記コントローラと接続される障害検出信号入力ポートと、
を備え、
前記データスイッチ素子は、
前記第１のデータ入出力ポートより入力されたデータを前記第２の予備データ入出力ポートに転送し、かつ、前記第２の主データ入出力ポートと該第２の予備データ入出力ポートより入力されたデータを多重し、該第１のデータ入出力ポートに転送する手段を有し、
前記コントローラは、
当該コントローラが、前記障害検出信号入力ポートを介して、前記第２の主データ入出力ポートに接続されている通信回線の障害が回復したことを示す信号を受信したとき、第２の主データ入出力ポートに接続されている受信側通信回線の障害が回復した旨を通知する障害回復信号を作成し、該障害回復信号を、前記データスイッチ素子を介して、該第２の主データ入出力ポートないしは、前記第２の予備データ入出力ポートへ出力する手段と、
当該コントローラが、前記障害検出信号入力ポートを介して、前記第２の主データ入出力ポートに接続されている受信側通信回線に障害が発生したことを示す信号を受信したとき、該第２の主データ入出力ポートに接続されている受信側通信回線に障害が発生した旨を通知する障害発生信号を作成し、該障害発生信号を、前記データスイッチ素子を介して、該第２の主データ入出力ポートないしは、前記第２の予備データ入出力ポートへ出力する手段と、
当該コントローラが、前記第２の主データ入出力ポートまたは、前記第２の予備データ入出力ポートを介して、対向するリンク制御装置の出力した障害回復信号を受信したとき、前記データスイッチ素子が、前記第１のデータ入出力ポートより入力されたデータのうち、該対向するリンク制御装置宛のデータを、該第２の主データ入出力ポートに転送するよう該データスイッチ素子を制御する手段と、
当該コントローラが、前記第２の主データ入出力ポートまたは、前記第２の予備データ入出力ポートを介して、対向するリンク制御装置の出力した障害発生信号を受信したとき、前記データスイッチ素子が、前記第１のデータ入出力ポートより入力されたデータのうち、該対向するリンク制御装置宛のデータを、該第２の予備データ入出力ポートに転送するよう該データスイッチ素子を制御する手段と、
を有することを特徴とするリンク制御装置。
【請求項４】
前記第２の主データ入出力ポートまたは、前記第２の予備データ入出力ポート、または、前記障害検出信号入力ポートは、
複数の第２の主データ入出力ポート、または、複数の第２の予備データ入出力ポート、または、複数の障害検出信号入力ポートである請求項１乃至３記載のリンク制御装置。
【請求項５】
データ通信に用いられる装置であり、通信回線の障害時に、データリンク層においてリンクを制御する上位リンク制御装置であって、
前記上位リンク制御装置は、
データスイッチ素子と、
前記データスイッチ素子と接続されるコントローラと、
前記データスイッチ素子と接続される第１のデータ入出力ポートと、
前記データスイッチ素子と接続される第２のデータ出力ポートと、
前記データスイッチ素子と接続される第３のデータ入出力ポートと、
を備え、
前記データスイッチ素子は、
前記第１のデータ入出力ポートより入力されたデータを前記第３のデータ入出力ポートに転送し、かつ、第３のデータ入出力ポートより入力されたデータを前記第１のデータ入出力ポートに転送する手段を有し、
前記コントローラは、
当該コントローラが前記第３のデータ入出力ポートを介して、対向する下位リンク制御装置の出力した障害回復信号を受信したとき、前記データスイッチ素子が、前記第１のデータ入出力ポートより入力されたデータのうち、該対向する下位リンク制御装置宛のデータを、前記第２のデータ出力ポートに転送するよう該データスイッチ素子を制御する手段と、
当該コントローラが前記第３のデータ入出力ポートを介して、対向する下位リンク制御装置の出力した障害発生信号を受信したとき、前記データスイッチ素子が前記第１のデータ入出力ポートより入力されたデータのうち、前記対向する下位リンク制御装置宛のデータを、前記第３のデータ入出力ポートに転送するよう、該データスイッチ素子を制御する手段と、
を有することを特徴とする上位リンク制御装置。
【請求項６】
データ通信に用いられる装置であり、通信回線の障害時に、データリンク層においてリンクを制御する下位リンク制御装置であって、
前記下位リンク制御装置は、
データスイッチ素子と、
前記データスイッチ素子と接続されるコントローラと、
前記データスイッチ素子と接続される第１のデータ入出力ポートと、
前記データスイッチ素子と接続される第２のデータ入力ポートと、
前記データスイッチ素子と接続される第３のデータ入出力ポートと、
前記コントローラと接続される障害検出信号入力ポートと、
を備え、
前記データスイッチ素子は、
前記第１のデータ入出力ポートより入力されたデータを前記第３のデータ入出力ポートに転送し、かつ、前記第２のデータ入力ポートと該第３のデータ入出力ポートより入力されたデータを多重し、該第１のデータ入出力ポートに転送する手段を有し、
前記コントローラは、
当該コントローラが前記障害検出信号入力ポートを介して、前記第２のデータ入力ポートに接続されている通信回線の障害が回復したことを示す信号を受信したとき、該第２のデータ入力ポートに接続されている通信回線の障害が回復した旨を通知する障害回復信号を作成し、該障害回復信号を、前記データスイッチ素子を介して、前記第３のデータ入出力ポートへ出力する手段と、
当該コントローラが、前記障害検出信号入力ポートを介して、前記第２のデータ入力ポートに接続されている通信回線に障害が発生したことを示す信号を受信したとき、該第２のデータ入力ポートに接続されている通信回線に障害が発生したことを通知する障害発生信号を作成し、該障害発生信号を、前記データスイッチ素子を介して、前記第３のデータ入出力ポートへ出力する手段と、
を有することを特徴とする下位リンク制御装置。
【請求項７】
データスイッチ素子と、
前記データスイッチ素子と接続されるコントローラと、
前記データスイッチ素子と接続される第１のデータ入出力ポートと、
前記データスイッチ素子と接続される第２の主データ入出力ポートと、
前記データスイッチ素子と接続される第２の予備データ入出力ポートと、
前記コントローラと接続される障害検出信号入力ポートと、
を備える第１のリンク制御装置Ａと第２のリンク制御装置Ｂとが、ポイント・ツー・ポイントで接続される通信システムであって、
前記第１のリンク制御装置Ａの前記第２の主データ入出力ポートＡ及び前記障害検出信号入力ポートＡに、データを伝送する媒体を変換する第１のメディアコンバータが接続され、
前記第２のリンク制御装置Ｂの前記第２の主データ入出力ポートＢ及び前記障害検出信号入力ポートＢに、データを伝送する媒体を変換する第２のメディアコンバータが接続され、
前記第１のメディアコンバータと前記第２のメディアコンバータとは、主回線を介して接続され、
前記第１リンク制御装置Ａ及び前記第２のリンク制御装置リンク制御装置の第２の予備入出力ポートＡ，Ｂ同士が予備回線を介して接続され、
通信システムの初期状態では、
第１のリンク制御装置Ａの前記データスイッチ素子Ａは、
前記第１のデータ入出力ポートＡより入力されたデータを前記第２の予備データ入出力ポートＡに転送し、かつ、前記第２の主データ入出力ポートＡと該第２の予備データ入出力ポートＡより入力されたデータを多重し、該第１のデータ入出力ポートＡに転送し、
かつ、第２のリンク制御装置Ｂの前記データスイッチ素子Ｂは、
前記第１のデータ入出力ポートＢより入力されたデータを前記第２の予備データ入出力ポートＢに転送し、かつ、前記第２の主データ入出力ポートＢと該第２の予備データ入出力ポートＢより入力されたデータを多重し、該第１のデータ入出力ポートＢに転送することにより、
前記第１のデータ入出力ポートＡ及び前記第１のデータ入出力ポートＢに入力されたデータは、前記データスイッチ素子Ａ及び前記第２の予備データ入出力ポートＡ及び前記予備回線及び前記第２の予備データ入出力ポートＢ及び前記データスイッチ素子Ｂを介して転送され、
前記コントローラＡが、前記第１のメディアコンバータ及び前記障害検出信号入力ポートＡを介して、前記第１のメディアコンバータに接続されている主回線の受信障害が回復した、ないしは受信障害が発生していないことを示す信号を受信したとき、
当該第１のリンク制御装置Ａの前記コントローラＡは、
主回線の受信障害が回復した旨を通知する障害回復信号Ａを作成し、該障害回復信号Ａを、前記データスイッチ素子Ａ、及び前記第２の主データ入出力ポートＡ、及び第１のメディアコンバータ、及び主回線、及び前記第２のメディアコンバータ、及び前記第２の主データ入出力ポートＢ、及び前記データスイッチ素子Ｂを介して、ないしは、前記データスイッチ素子Ａ、及び前記第２の予備データ入出力ポートＡ、及び前記予備回線、及び、前記第２の予備データ入出力ポートＢ、及び前記データスイッチ素子Ｂを介して、前記第２のリンク制御装置Ｂの前記コントローラＢへ出力し、
当該コントローラＢは、
前記障害回復信号Ａを受信したとき、
または、
前記障害回復信号Ａを受信し、かつ、前記第２のメディアコンバータ及び前記障害検出信号入力ポートＢを介して、前記第２のメディアコンバータに接続されている主回線の受信障害が回復した、ないしは受信障害が発生していないことを示す信号を受信しているとき、
前記データスイッチ素子Ｂが、前記第１のデータ入出力ポートＢより入力されたデータを、該第２の主データ入出力ポートＢに転送するよう該データスイッチ素子Ｂを制御することにより、
前記第１のデータ入出力ポートＢに入力されたデータは、前記データスイッチ素子Ｂ、及び前記第２の主データ入出力ポートＢ、及び前記第２のメディアコンバータ、及び主回線、及び前記第１のメディアコンバータ、及び前記第２の主データ入出力ポートＡ、及び前記データスイッチ素子Ａを介して、前記第１のデータ入出力ポートＡに転送され、
前記コントローラＢが、前記第２のメディアコンバータ及び前記障害検出信号入力ポートＢを介して、前記第２のメディアコンバータに接続されている主回線の受信障害が回復した、ないしは受信障害が発生していないことを示す信号を受信したとき、
当該第２のリンク制御装置Ｂの前記コントローラＢは、
主回線の受信障害が回復した旨を通知する障害回復信号Ｂを作成し、該障害回復信号Ｂを、前記第１のリンク制御装置Ａの前記コントローラＡへ出力し、
当該コントローラＡは、
前記障害回復信号Ｂを受信したとき、
ないしは、
前記障害回復信号Ｂを受信し、かつ、前記第１のメディアコンバータ及び前記障害検出信号入力ポートＡを介して、前記第１のメディアコンバータに接続されている主回線の受信障害が回復した、ないしは受信障害が発生していないことを示す信号を受信しているとき、
前記データスイッチ素子Ａが、前記第１のデータ入出力ポートＡより入力されたデータを、該第２の主データ入出力ポートＡに転送するよう該データスイッチ素子Ａを制御することにより、
前記第１のデータ入出力ポートＡに入力されたデータは、前記データスイッチ素子Ａ、及び前記第２の主データ入出力ポートＡ、及び前記第１のメディアコンバータ、及び主回線、及び前記第２のメディアコンバータ、及び前記第２の主データ入出力ポートＢ、及び前記データスイッチ素子Ｂを介して、前記第１のデータ入出力ポートＢに転送され、
前記コントローラＡが、前記第１のメディアコンバータ及び前記障害検出信号入力ポートＡを介して、前記第１のメディアコンバータに接続されている主回線の受信障害が発生したことを示す信号を受信したとき、
当該第１のリンク制御装置Ａの前記コントローラＡは、
主回線の受信障害が発生した旨を通知する障害発生信号Ａを作成し、該障害発生信号Ａを、前記データスイッチ素子Ａ、及び前記第２の主データ入出力ポートＡ、及び第１のメディアコンバータ、及び主回線、及び前記第２のメディアコンバータ、及び前記第２の主データ入出力ポートＢ、及び前記データスイッチ素子Ｂを介して、ないしは、前記データスイッチ素子Ａ、及び前記第２の予備データ入出力ポートＡ、及び前記予備回線、及び前記第２の予備データ入出力ポートＢ、及び前記データスイッチ素子Ｂを介して、前記第２のリンク制御装置Ｂの前記コントローラＢへ出力し、
当該コントローラＢは、
前記障害発生信号Ａを受信したとき、前記データスイッチ素子Ｂが、前記第１のデータ入出力ポートＢより入力されたデータを、該第２の予備データ入出力ポートＢに転送するよう該データスイッチ素子Ｂを制御することにより、
前記第１のデータ入出力ポートＢに入力されたデータは、前記データスイッチ素子Ｂ、及び前記第２の予備データ入出力ポートＢ、及び前記予備回線、及び前記第２の予備データ入出力ポートＡ、及び前記データスイッチ素子Ａを介して、前記第１のデータ入出力ポートＡに転送され、
前記コントローラＢが、前記第２のメディアコンバータ及び前記障害検出信号入力ポートＢを介して、前記第２のメディアコンバータに接続されている主回線の受信障害が発生したことを示す信号を受信したとき、
当該第２のリンク制御装置Ｂの前記コントローラＢは、
主回線の受信障害が発生した旨を通知する障害発生信号Ｂを作成し、該障害発生信号Ｂを、前記データスイッチ素子Ｂ、及び前記第２の主データ入出力ポートＢ、及び第２のメディアコンバータ、及び主回線、及び前記第１のメディアコンバータ、及び前記第２の主データ入出力ポートＡ、及び前記データスイッチ素子Ａを介して、ないしは、前記データスイッチ素子Ｂ、及び前記第２の予備データ入出力ポートＢ、及び前記予備回線、及び前記第２の予備データ入出力ポートＡ、及び前記データスイッチ素子Ａを介して、前記第１のリンク制御装置Ａの前記コントローラＡへ出力し、
当該コントローラＡは、
前記障害発生信号Ｂを受信したとき、前記データスイッチ素子Ａが、前記第１のデータ入出力ポートＡより入力されたデータを、該第２の予備データ入出力ポートＡに転送するよう該データスイッチ素子Ａを制御することにより、
前記第１のデータ入出力ポートＡに入力されたデータは、前記データスイッチ素子Ａ、及び前記第２の予備データ入出力ポートＡ、及び予備回線、及び前記第２の予備データ入出力ポートＢ、及び前記データスイッチ素子Ｂを介して、前記第１のデータ入出力ポートＢに転送される
ことを特徴とする通信システム。
【請求項８】
リンク制御装置を用いた通信システムであって、
データスイッチ素子と、
前記データスイッチ素子Ａと接続されるコントローラＡと、
前記データスイッチ素子Ａと接続される第１のデータ入出力ポートＡと、
前記データスイッチ素子Ａと接続される複数の第２の主データ入出力ポートＡと、
前記データスイッチ素子Ａと接続される複数の第２の予備データ入出力ポートＡと、
前記コントローラＡと接続される複数の障害検出信号入力ポートＡと、
を備える第１のリンク制御装置Ａと、
データスイッチ素子Ｂと、
前記データスイッチ素子Ｂと接続されるコントローラＢと、
前記データスイッチ素子Ｂと接続される第１のデータ入出力ポートＢと、
前記データスイッチ素子Ｂと接続される第２の主データ入出力ポートＢと、
前記データスイッチ素子Ｂと接続される第２の予備データ入出力ポートＢと、
前記コントローラＢと接続される障害検出信号入力ポートＢと、
を備える複数の第２のリンク制御装置Ｂと、
前記第１のリンク制御装置Ａと前記複数の第２のリンク制御装置Ｂとがスター状に接続され、
前記第１のリンク制御装置Ａの複数の前記第２の主データ入出力ポートＡにはそれぞれ、データを伝送する媒体を変換する第１のメディアコンバータが接続され、
前記第１のメディアコンバータのそれぞれは、前記障害検出信号入力ポートＡのいずれかに接続され、
前記複数の第２のリンク制御装置Ｂ毎に、前記第２の主データ入出力ポートＢ及び前記障害検出信号入力ポートＢに、データを伝送する媒体を変換する第２のメディアコンバータが接続され、
前記第１のメディアコンバータのいずれかと前記第２のメディアコンバータのいずれかが、主回線により１対１で接続され、
前記第１のリンク制御装置Ａの前記複数の第２の予備入出力ポートＡと、前記複数の第２のリンク制御装置Ｂの第２の予備入出力ポートＢ同士が予備回線ないしは予備ネットワークを介して接続され、
通信システムの初期状態では、
第１のリンク制御装置Ａの前記データスイッチ素子Ａは、
前記第１のデータ入出力ポートＡより入力されたデータを、データに記載の宛先アドレス情報に基づき、前記複数の第２の予備データ入出力ポートＡのいずれかに転送し、かつ、前記複数の第２の主データ入出力ポートＡと前記複数の第２の予備データ入出力ポートＡより入力されたデータを多重し、該第１のデータ入出力ポートＡに転送し、
かつ、第２のリンク制御装置Ｂの前記データスイッチ素子Ｂのそれぞれは、
前記第１のデータ入出力ポートＢより入力されたデータを前記第２の予備データ入出力ポートＢに転送し、かつ、前記第２の主データ入出力ポートＢと該第２の予備データ入出力ポートＢより入力されたデータを多重し、前記第１のデータ入出力ポートＡに転送することにより、
前記第１のリンク制御装置Ａと前記複数の第２のリンク制御装置の間で送受信されるデータは、前記予備回線を介して転送され、
前記コントローラＡが、前記第１のメディアコンバータのいずれかに接続されている主回線の受信障害が回復した、ないしは受信障害が発生していないことを示す信号を、該第１のメディアコンバータ及び該第１のメディアコンバータが接続されている障害検出信号入力ポートＡを介して、受信したとき、
当該第１のリンク制御装置Ａの前記コントローラＡは、
該主回線の受信障害が回復した旨を通知する障害回復信号Ａを作成し、該障害回復信号Ａを、該主回線を介して通信可能な第２のリンク制御装置のコントローラＢ宛てに、前記データスイッチ素子Ａ、及び該第１のメディアコンバータが接続されている前記第２の主データ入出力ポートＡ、及び該第１のメディアコンバータ、及び該主回線、及び該主回線と接続されている前記第２のメディアコンバータ、及び該第２のメディアコンバータが接続されている前記第２の主データ入出力ポートＢ、及び前記データスイッチ素子Ｂを介して、ないしは、前記データスイッチ素子Ａ、及び前記第２の予備データ入出力ポートＡのいずれか、及び前記予備回線、及び前記第２の予備データ入出力ポートＢ、及び前記データスイッチ素子Ｂを介して出力し、
当該コントローラＢは、
前記障害回復信号Ａを受信したとき、
ないしは、
前記障害回復信号Ａを受信し、かつ、前記第２のメディアコンバータ及び前記障害検出信号入力ポートＢを介して、前記第２のメディアコンバータに接続されている主回線の受信障害が回復した、ないしは受信障害が発生していないことを示す信号を受信しているとき、
前記データスイッチ素子Ｂが、前記第１のデータ入出力ポートＢより入力されたデータを、該第２の主データ入出力ポートＢに転送するよう該データスイッチ素子Ｂを制御することにより、
前記第１のデータ入出力ポートＢに入力されたデータは、前記データスイッチ素子Ｂ、及び前記第２の主データ入出力ポートＢ、及び前記第２のメディアコンバータ、及び主回線、及び前記第１のメディアコンバータ、及び前記第２の主データ入出力ポートＡ、及び前記データスイッチ素子Ａを介して、前記第１のデータ入出力ポートＡに転送され、
前記リンク制御装置Ｂのいずれかにおける前記コントローラＢが、前記第２のメディアコンバータ及び前記障害検出信号入力ポートＢを介して、前記第２のメディアコンバータに接続されている主回線の受信障害が回復した、ないしは受信障害が発生していないことを示す信号を受信したとき、
当該第２のリンク制御装置Ｂの前記コントローラＢは、
主回線の受信障害が回復した旨を通知する障害回復信号Ｂを作成し、該障害回復信号Ｂを、第１のリンク制御装置のコントローラＡ宛てに、前記データスイッチ素子Ｂ、及び前記第２の主データ入出力ポートＢ、及び第２のメディアコンバータ、及び主回線、及び前記第１のメディアコンバータ、及び前記第２の主データ入出力ポートＡ、及び前記データスイッチ素子Ａを介して、ないしは、前記データスイッチ素子Ｂ、及び前記第２の予備データ入出力ポートＢ、及び前記予備回線、及び前記第２の予備データ入出力ポートＡ、及び前記データスイッチ素子Ａを介して出力し、
当該コントローラＡは、
前記障害回復信号Ｂを受信したとき、
ないしは、
前記障害回復信号Ｂを受信し、かつ、当該主回線が接続されている前記第１のメディアコンバータ及び該第１のメディアコンバータが接続されている前記障害検出信号入力ポートＡを介して、該第１のメディアコンバータに接続されている主回線の受信障害が回復した、ないしは受信障害が発生していないことを示す信号を受信しているとき、
前記データスイッチ素子Ａが、前記第１のデータ入出力ポートＡより入力された該第２のリンク制御装置Ｂ宛てのデータを、前記主回線を介して通信可能な第２の主データ入出力ポートＡに転送するよう該データスイッチ素子Ａを制御することにより、
前記第１のデータ入出力ポートＡに入力された該第２のリンク制御装置Ｂ宛てのデータは、前記データスイッチ素子Ａ、及び前記第２の主データ入出力ポートＡ、及び前記第１のメディアコンバータ、及び主回線、及び前記第２のメディアコンバータ、及び前記第２の主データ入出力ポートＢ、及び前記データスイッチ素子Ｂを介して、前記第１のデータ入出力ポートＢに転送され、
前記コントローラＡが、前記第１のメディアコンバータのいずれかに接続されている主回線の受信障害が発生したことを示す信号を、該第１のメディアコンバータ及び該第１のメディアコンバータが接続されている障害検出信号入力ポートＡを介して受信したとき、
当該第１のリンク制御装置Ａの前記コントローラＡは、
前記主回線の受信障害が発生した旨を通知する障害発生信号Ａを作成し、該障害発生信号Ａを、該主回線を介して通信可能であった第２のリンク制御装置のコントローラＢ宛てに前記データスイッチ素子Ａ、及び該第１のメディアコンバータが接続されている前記第２の主データ入出力ポートＡ、及び該第１のメディアコンバータ、及び該主回線、及び該主回線と接続されている前記第２のメディアコンバータ、及び該第２のメディアコンバータが接続されている前記第２の主データ入出力ポートＢ、及び前記データスイッチ素子Ｂを介して、ないしは、前記データスイッチ素子Ａ、及び前記第２の予備データ入出力ポートＡのいずれか、及び前記予備回線、及び前記第２の予備データ入出力ポートＢ、及び前記データスイッチ素子Ｂを介して出力し、
当該コントローラＢは、
前記障害発生信号Ａを受信したとき、
前記データスイッチ素子Ｂが、前記第１のデータ入出力ポートＢより入力されたデータを、該第２の予備データ入出力ポートＢに転送するよう該データスイッチ素子Ｂを制御することにより、
前記第１のデータ入出力ポートＢに入力されたデータは、前記データスイッチ素子Ｂ、及び前記第２の予備データ入出力ポートＢ、及び予備回線、及び前記第２の予備データ入出力ポートＡ、及び前記データスイッチ素子Ａを介して、前記第１のデータ入出力ポートＡに転送され、
前記リンク制御装置Ｂのいずれかにおける前記コントローラＢが、前記第２のメディアコンバータ及び前記障害検出信号入力ポートＢを介して、前記第２のメディアコンバータに接続されている主回線の受信障害が発生したことを示す信号を受信したとき、
当該第２のリンク制御装置Ｂの前記コントローラＢは、
主回線の受信障害が発生した旨を通知する障害発生信号Ｂを作成し、該障害発生信号Ｂを、第１のリンク制御装置のコントローラＡ宛てに前記データスイッチ素子Ｂ、及び前記第２の主データ入出力ポートＢ、及び第２のメディアコンバータ、及び主回線、及び前記第１のメディアコンバータ、及び前記第２の主データ入出力ポートＡ、及び前記データスイッチ素子Ａを介して、ないしは、前記データスイッチ素子Ｂ、及び前記第２の予備データ入出力ポートＢ、及び前記予備回線、及び前記第２の予備データ入出力ポートＡ、及び前記データスイッチ素子Ａを介して出力し、
当該コントローラＡは、
前記障害発生信号Ｂを受信したとき、
前記データスイッチ素子Ａが、前記第１のデータ入出力ポートＡより入力された該第２のリンク制御装置Ｂ宛てのデータを、第２の予備データ入出力ポートＡに転送するよう該データスイッチ素子Ａを制御することにより、
前記第１のデータ入出力ポートＡに入力された該第２のリンク制御装置Ｂ宛てのデータは、前記データスイッチ素子Ａ、及び前記第２の予備データ入出力ポートＡ、及び予備回線、及び前記第２の予備データ入出力ポートＢ、及び前記データスイッチ素子Ｂを介して、前記第１のデータ入出力ポートＢに転送される
ことを特徴とする通信システム。
【請求項９】
請求項７記載のリンク制御装置を用いた通信システムであって、
前記第２のリンク制御装置Ｂは、複数の第２のリンク制御装置Ｂであり、
前記第２のメディアコンバータは、前記第２のリンク制御装置Ｂと同数の第２のメディアコンバータであり、
第１のリンク制御装置Ａと、前記複数の第２のリンク制御装置Ｂとがスター状に接続され、
前記第１のリンク制御装置Ａの前記第２の主データ入出力ポートＡ及び前記障害検出信号入力ポートＡに、データを伝送する媒体を変換する第１のメディアコンバータが接続され、
前記複数の第２のリンク制御装置Ｂ毎の前記第２の主データ入出力ポートＢ及び前記障害検出信号入力ポートＢに、データを伝送する媒体を変換する第２のメディアコンバータがそれぞれ接続され、
前記第１のリンク制御装置Ａに接続された第１のメディアコンバータと前記複数の第２のリンク制御装置Ｂにそれぞれ接続された前記第２のメディアコンバータを接続する主回線は、主ネットワークであり、
前記第１のリンク制御装置Ａの前記第２の主データ入出力ポートＡと前記複数の第２のリンク制御装置Ｂの各々の第２の主データ入出力ポートＢとが、前記第１のメディアコンバータ、前記主ネットワーク及び前記第２のメディアコンバータを介して接続され、
前記第１のリンク制御装置Ａの前記第２の予備入出力ポートＡと、前記複数の第２のリンク制御装置Ｂの前記第２の予備入出力ポートＢ同士を接続する予備回線は、予備ネットワークであり、
前記コントローラＢは、
前記障害回復信号Ａを受信したとき、
ないしは、
前記障害回復信号Ａを受信し、かつ、前記第２のメディアコンバータ及び前記障害検出信号入力ポートＢを介して、前記第２のメディアコンバータに接続されている主ネットワークの受信障害が回復した、ないしは受信障害が発生していないことを示す信号を受信しているとき、
前記データスイッチ素子Ｂが、前記第１のデータ入出力ポートＢより入力されたデータのうち、前記障害回復信号Ａを送信したリンク制御装置Ａ宛てのデータを、前記第２の主データ入出力ポートＢに転送するよう該データスイッチ素子Ｂを制御し、
前記コントローラＡは、
前記障害回復信号Ｂを受信したとき、
ないしは、
前記障害回復信号Ｂを受信し、かつ、前記第１のメディアコンバータ及び前記障害検出信号入力ポートＡを介して、前記第１のメディアコンバータに接続されている主ネットワークの受信障害が回復した、ないしは受信障害が発生していないことを示す信号を受信しているとき、
前記データスイッチ素子Ａが、前記第１のデータ入出力ポートＡより入力されたデータのうち、前記障害回復信号Ｂを送信したリンク制御装置Ｂ宛てのデータを、前記第２の主データ入出力ポートＡに転送するよう該データスイッチ素子Ａを制御し、
前記コントローラＢは、
前記障害発生信号Ａを受信したとき、前記データスイッチ素子Ｂが、前記第１のデータ入出力ポートＢより入力されたデータのうち、該障害回復信号Ａを送信したリンク制御装置Ａ宛てのデータを、前記第２の予備データ入出力ポートＢに転送するよう該データスイッチ素子Ｂを制御し、
前記コントローラＡは、
前記障害発生信号Ｂを受信したとき、前記データスイッチ素子Ａが、前記第１のデータ入出力ポートＡより入力されたデータのうち、該障害回復信号Ｂを送信したリンク制御装置Ｂ宛てのデータを、前記第２の予備データ入出力ポートＡに転送するよう該データスイッチ素子Ａを制御する、
ことを特徴とする通信システム。
【請求項１０】
データ通信に用いられる装置であり、通信回線の障害時に、データリンク層においてリンクを制御する上位リンク制御装置と、データ通信に用いられる装置であり、通信回線の障害時に、データリンク層においてリンクを制御する下位リンク制御装置とから構成される通信システムであって、
前記上位リンク制御装置Ａは、
データスイッチ素子Ａと、
前記データスイッチ素子Ａと接続されるコントローラＡと、
前記データスイッチ素子Ａと接続される第１のデータ入出力ポートＡと、
前記データスイッチ素子Ａと接続される第２のデータ出力ポートＡと、
前記データスイッチ素子Ａと接続される第３のデータ入出力ポートＡと、
を備え、
前記下位リンク制御装置Ｂは、
データスイッチ素子Ｂと、
前記データスイッチ素子Ｂと接続されるコントローラＢと、
前記データスイッチ素子Ｂと接続される第１のデータ入出力ポートＢと、
前記データスイッチ素子Ｂと接続される第２のデータ入力ポートＢと、
前記データスイッチ素子Ｂと接続される第３のデータ入出力ポートＢと、
前記コントローラＢと接続される障害検出信号入力ポートＢと、
を備え、
前記上位リンク制御装置Ａの前記第２のデータ出力ポートＡには送信器が接続され、
前記下位リンク制御装置Ｂの前記第２のデータ入力ポートＢには受信器が接続され、
前記送信器と前記受信器とが主回線で接続され、
前記上位リンク制御装置Ａの前記第３のデータ入出力ポートＡと、前記下位リンク制御装置Ｂの前記第３のデータ入出力ポートＢとが予備回線を介して接続され、
通信システムの初期状態では、
前記上位リンク制御装置Ａの前記データスイッチ素子Ａは、
前記第１のデータ入出力ポートＡより入力されたデータを前記第３のデータ入出力ポートＡに転送し、かつ、前記第３のデータ入出力ポートＡより入力されたデータを該第１のデータ入出力ポートＡに転送し、
かつ、前記下位リンク制御装置Ｂの前記データスイッチ素子Ｂは、
前記第１のデータ入出力ポートＢより入力されたデータを前記第３のデータ入出力ポートＢに転送し、かつ、前記第２のデータ入力ポートＢと該第３のデータ入出力ポートＢより入力されたデータを多重し、該第１のデータ入出力ポートＢに転送することにより、
前記第１のデータ入出力ポートＡ及び前記第１のデータ入出力ポートＢに入力されたデータは、前記データスイッチ素子Ａ及び前記第３のデータ入出力ポートＡ及び前記予備回線及び前記第３のデータ入出力ポートＢ及び前記データスイッチ素子Ｂを介して転送され、
前記コントローラＢが、前記受信器及び前記障害検出信号入力ポートＢを介して、前記受信器に接続されている主回線の受信障害が回復した、ないしは受信障害が発生していないことを示す信号を受信したとき、
当該下位リンク制御装置Ｂの前記コントローラＢは、
主回線の受信障害が回復した旨を通知する障害回復信号Ｂを作成し、該障害回復信号Ｂを、前記データスイッチ素子Ｂ、及び前記第３のデータ入出力ポートＢ、及び前記予備回線、及び前記第３のデータ入出力ポートＡ、及び前記データスイッチ素子Ａを介して、前記上位リンク制御装置Ａの前記コントローラＡへ出力し、
当該コントローラＡは、
前記障害回復信号Ｂを受信したとき、前記データスイッチ素子Ａが、前記第１のデータ入出力ポートＡより入力されたデータを、該第２のデータ出力ポートＡに転送するよう該データスイッチ素子Ａを制御することにより、
前記第１のデータ入出力ポートＡに入力されたデータは、前記データスイッチ素子Ａ、及び前記第２のデータ出力ポートＡ、及び前記送信器、及び主回線、及び前記受信器、及び前記第２のデータ入力ポートＢ、及び前記データスイッチ素子Ｂを介して、前記第１のデータ入出力ポートＢに転送され、
前記コントローラＢが、前記受信器及び前記障害検出信号入力ポートＢを介して、前記受信器に接続されている主回線の受信障害が発生したことを示す信号を受信したとき、
当該下位リンク制御装置Ｂの前記コントローラＢは、
主回線の受信障害が発生した旨を通知する障害発生信号Ｂを作成し、該障害発生信号Ｂを、前記データスイッチ素子Ｂ、及び前記第３のデータ入出力ポートＢ、及び前記予備回線、及び前記第３のデータ入出力ポートＡ、及び前記データスイッチ素子Ａを介して、前記上位リンク制御装置Ａの前記コントローラＡへ出力し、
当該コントローラＡは、
前記障害発生信号Ｂを受信したとき、前記データスイッチ素子Ａが、前記第１のデータ入出力ポートＡより入力されたデータを、該第３のデータ入出力ポートＡに転送するよう該データスイッチ素子Ａを制御することにより、
前記第１のデータ入出力ポートＡに入力されたデータは、前記データスイッチ素子Ａ、及び前記第３のデータ入出力ポートＡ、及び前記予備回線、及び前記第３のデータ入出力ポートＢ、及び前記データスイッチ素子Ｂを介して、前記第１のデータ入出力ポートＢに転送される
ことを特徴とする通信システム。
【請求項１１】
請求項１０記載のリンク制御装置を用いた通信システムであって、
前記下位リンク制御装置Ｂは、複数の下位リンク制御装置Ｂであり、
前記受信器は、前記下位リンク制御装置Ｂと同数の第２の受信器であり、
前記上位リンク制御装置Ａと、前記複数の下位リンク制御装置Ｂとがスター状に接続され、
前記上位リンク制御装置Ａの前記第２のデータ出力ポートＡに接続された前記送信器と、前記複数の下位リンク制御装置Ｂのそれぞれにおける、前記第２のデータ入力ポートＢに接続された前記受信器とを接続する主回線は、主ネットワークであり、
前記上位リンク制御装置Ａの前記第３の入出力ポートＡと、前記複数の下位リンク制御装置Ｂの第３の入出力ポートＢ同士を接続する予備回線は、予備ネットワークであり、
前記コントローラＡは、
前記障害回復信号Ｂを受信したとき、前記データスイッチ素子Ａが、前記第１のデータ入出力ポートＡより入力されたデータのうち、該障害回復信号Ｂを送信した下位リンク制御装置Ｂ宛てのデータを、前記第２のデータ出力ポートＡに転送するよう該データスイッチ素子Ａを制御し、
前記コントローラＡは、
前記障害発生信号Ｂを受信したとき、前記データスイッチ素子Ａが、前記第１のデータ入出力ポートＡより入力されたデータのうち、該障害発生信号Ｂを送信した下位リンク制御装置Ｂ宛てのデータを、前記第３のデータ入出力ポートＡに転送するよう該データスイッチ素子Ａを制御する、
ことを特徴とする通信システム。
【発明の詳細な説明】
【技術分野】
【０００１】
本発明は、データ通信に用いられる装置であって、通信回線の障害時に、データリンク層においてリンクを制御するリンク制御装置及び上位リンク制御装置及び下位リンク制御装置に関する。
【０００２】
また、リンク制御装置を用いた通信システムに係り、特に、イーサネット（登録商標）等のＬＡＮ（Local Area Network:構内通信網）などに用いられるリンク制御装置を用いた通信システムに関する。
【背景技術】
【０００３】
近年、オフィス内あるいは宅内のデータ通信網であるＬＡＮ同士を、広域で接続するＬＡＮ間接続サービスが関心を集めている。広域ＬＡＮ間接続サービスでは、例えば、イーサネット（登録商標）に代表される、ＯＳＩ(Open Systems Interconnection)参照モデルにおけるデータリンク層のプロトコルを用いて通信サービスが提供されるため、ネットワーク層以上のプロトコルには依存しないネットワークが構築できる。すなわち、広域に分散する複数地点のＬＡＮが同一ＬＡＮとして扱うことができる。
【０００４】
広域ＬＡＮ間接続サービスは、主としてビジネスユーザを対象として提供されていることから、通信の継続性に対して厳しい要求がなされる。このような要求に応える１つの解として、ＬＡＮ間接続に用いる回線を複数用意し、主回線に、例えば、切断などの障害が発生した場合に、他の予備回線に切り替える方法がある。但し、ＬＡＮ間接続においては、回線切り替えをデータリンク層以下の層で行わなければならない。
【０００５】
従来、データリンク層における回線冗長化の方法として、例えば、第１の従来例では、イーサネット（登録商標）ではスパニングツリープロトコルが用いられてきた（例えば、非特許文献１参照）。スパニングツリープロトコルは、データのループを回避するために用いられるプロトコルである。ネットワークを構成するイーサネット（登録商標）ブリッジデバイス同士が、メッセージ送信しあうことにより、ネットワークの構成変更や障害が発生した場合、適切な構成へ変更することが可能である。
【０００６】
また、第２の従来方法として、回線冗長を行う区間にリレーサーバを配し、ルーティングプロトコルにより主回線と予備回線との切り替えを行う方法が提案されている（例えば、非特許文献２参照）。この方法では、図２３に示すように、リレーサーバにて、データリンク層のフレームをリレーサーバでカプセル化することにより、上位有線ネットワークと通信端末間でデータリンク層フレームを透過させる。図２３における通信端末２０と、光無線送受信装置２１ならびに電波無線クライアント２２との間に別のリレーサーバを配することにより、ＬＡＮ間接続も可能になる。
【非特許文献１】Rich Seifert著、間宮あきら訳「ＬＡＮスイッチング徹底解説」、pp.191-214第５章、５．２節「スパニングツリープロトコル」日経ＢＰ社
【非特許文献２】国際会議、Y.Sakurai, et. al., “A study of seamless communication method with the adequate switching between optical and RF wireless LAN”, IEEE International Conference on Consumer Electronics 2003, WPM P3. 19, pp. 264-265, 17-19 June 2003.
【発明の開示】
【発明が解決しようとする課題】
【０００７】
しかしながら、上記の第１の従来例では、回線障害が発生してから経路が切り替わるまでに、数秒〜１０数秒かかっており、高速な回線切り替えが困難であった。
【０００８】
また、第２の従来例では、図２３に示すように、別途リレーサーバを用意し、個々でＩＰパケットのフォーマットを変換する必要がある。しかし、リレーサーバの性能不足により、光無線の高速なデータパケット(例えば、毎秒１ギガビット)をすべてフォーマット変換することはできず、結果として、光無線ＬＡＮを用いても、高速なデータ転送が困難である。
【０００９】
また、光無線の切断を検知する適切な方法が示されていない。
【００１０】
また、ルーティングテーブルがスタティック(固定的に割り当てられている)な場合、通信端末の移動によって他のアクセスポイントの支配下となった場合、そのままでは通信できず、ルーティングテーブルの書き換えにダイナミックルーティング(ルーティングテーブルの自動設定)を用いる場合、例えば、ルーティングプロトコルにＯＳＰＦ(Open Shortest Path Fast)や、ＲＩＰ(Routing Information Protocol)を用いると、通信回線障害時の経路変更に通常数１０秒かかるため、高速な切り替えが困難である。
【００１１】
また、従来の無線通信システムでは、リレーサーバと通信端末が１対１で接続されている場合には適用可能であるが、無線ＬＡＮのようにリレーサーバと通信端末が１対多で接続されている場合には、上記の従来の構成を適用することができない。
【００１２】
本発明は、上記の点に鑑みなされたもので、高速に主回線と予備回線を切り替えることが可能なりリンク制御装置及び上位リンク制御装置及び下位リンク制御装置及びリンク制御装置を用いた通信システムを提供することを目的とする。
【課題を解決するための手段】
【００１３】
図１は、本発明の原理構成図である。
【００１４】
本発明（請求項１）は、データ通信に用いられる装置であり、通信回線の障害時に、データリンク層においてリンクを制御するリンク制御装置であって、
リンク制御装置１００は、
データスイッチ素子１２０と、
データスイッチ素子１２０と接続されるコントローラ１３０と、
データスイッチ素子１２０と接続される第１のデータ入出力ポート１１０と、
データスイッチ素子１２０と接続される第２の主データ入出力ポート１５０と、
データスイッチ素子１２０と接続される第２の予備データ入出力ポート１４０と、
コントローラ１３０と接続される障害検出信号入力ポート１６０と、
を備え、
データスイッチ素子１２０は、
コントローラ１３０が、障害検出信号入力ポート１６０を介して、第２の主データ入出力ポート１５０に接続されている通信回線に障害が発生していないことを示す信号を受信しているとき、第１のデータ入出力ポート１１０より入力されたデータを第２の主データ入出力ポート１５０に転送し、かつ、該第２の主データ入出力ポート１５０より入力されたデータを該第１のデータ入出力ポート１１０に転送し、かつ、第２の予備データ入出力ポート１４０より入力されたデータを該第１のデータ入出力ポート１１０に転送する手段と、
コントローラ１３０が、障害検出信号入力ポート１６０を介して、第２の主データ入出力ポート１５０に接続されている通信回線に障害が発生していることを示す信号を受信しているとき、第１のデータ入出力ポート１１０より入力されたデータを第２の予備データ入出力ポート１４０に転送し、かつ、該第２の予備データ入出力ポート１４０より入力されたデータを該第１のデータ入出力ポート１１０に転送する手段と、を有する。
【００１５】
本発明（請求項２）は、請求項１のリンク制御装置において、
データスイッチ素子１２０は、
コントローラ１３０が、障害検出信号入力ポートを介して、第２の主データ入出力ポート１５０に接続されている通信回線に障害が発生していないことを示す信号を受信しているとき、第１のデータ入出力ポート１１０より入力されたデータを、該第２の主データ入出力ポート１５０あるいは、第２の予備データ入出力ポート１４０に転送し、かつ、該第２の主データ入出力ポート１５０と該第２の予備データ入出力ポート１４０より入力されたデータを多重し、該第１のデータ入出力ポート１１０に転送する手段と、
コントローラ１３０が、障害検出信号入力ポート１６０を介して第２の主データ入出力ポート１５０に接続されている通信回線に障害が発生していることを示す信号を受信しているとき、第１のデータ入出力ポート１１０より入力されたデータを第２の予備データ入出力ポート１４０に転送し、かつ、該第２の予備データ入出力ポート１４０より入力されたデータを該第１のデータ入出力ポート１１０に転送する手段と、を有する。
【００１６】
本発明（請求項３）は、データ通信に用いられる装置であり、通信回線の障害時に、データリンク層においてリンクを制御するリンク制御装置であって、
リンク制御装置は、
データスイッチ素子と、
データスイッチ素子と接続されるコントローラと、
データスイッチ素子と接続される第１のデータ入出力ポートと、
データスイッチ素子と接続される第２の主データ入出力ポートと、
データスイッチ素子と接続される第２の予備データ入出力ポートと、
コントローラと接続される障害検出信号入力ポートと、
を備え、
データスイッチ素子は、
第１のデータ入出力ポートより入力されたデータを第２の予備データ入出力ポートに転送し、かつ、第２の主データ入出力ポートと該第２の予備データ入出力ポートより入力されたデータを多重し、該第１のデータ入出力ポートに転送する手段を有し、
コントローラは、
当該コントローラが、障害検出信号入力ポートを介して、第２の主データ入出力ポートに接続されている通信回線の障害が回復したことを示す信号を受信したとき、第２の主データ入出力ポートに接続されている受信側通信回線の障害が回復した旨を通知する障害回復信号を作成し、該障害回復信号を、データスイッチ素子を介して、該第２の主データ入出力ポートないしは、第２の予備データ入出力ポートへ出力する手段と、
当該コントローラが、障害検出信号入力ポートを介して、第２の主データ入出力ポートに接続されている受信側通信回線に障害が発生したことを示す信号を受信したとき、該第２の主データ入出力ポートに接続されている受信側通信回線に障害が発生した旨を通知する障害発生信号を作成し、該障害発生信号を、データスイッチ素子を介して、該第２の主データ入出力ポートないしは、第２の予備データ入出力ポートへ出力する手段と、
当該コントローラが、第２の主データ入出力ポートまたは、第２の予備データ入出力ポートを介して、対向するリンク制御装置の出力した障害回復信号を受信したとき、データスイッチ素子が、第１のデータ入出力ポートより入力されたデータのうち、該対向するリンク制御装置宛のデータを、該第２の主データ入出力ポートに転送するよう該データスイッチ素子を制御する手段と、
当該コントローラが、第２の主データ入出力ポートまたは、第２の予備データ入出力ポートを介して、対向するリンク制御装置の出力した障害発生信号を受信したとき、データスイッチ素子が、第１のデータ入出力ポートより入力されたデータのうち、該対向するリンク制御装置宛のデータを、該第２の予備データ入出力ポートに転送するよう該データスイッチ素子を制御する手段と、を有する。
【００１７】
また、本発明（請求項４）は、請求項１乃至３のリンク制御装置において、
第２の主データ入出力ポートまたは、第２の予備データ入出力ポート、または、障害検出信号入力ポートは、
複数の第２の主データ入出力ポート、または、複数の第２の予備データ入出力ポート、または、複数の障害検出信号入力ポートである。
【００１８】
本発明（請求項５）は、データ通信に用いられる装置であり、通信回線の障害時に、データリンク層においてリンクを制御する上位リンク制御装置であって、
上位リンク制御装置は、
データスイッチ素子と、
データスイッチ素子と接続されるコントローラと、
データスイッチ素子と接続される第１のデータ入出力ポートと、
データスイッチ素子と接続される第２のデータ出力ポートと、
データスイッチ素子と接続される第３のデータ入出力ポートと、
を備え、
データスイッチ素子は、
第１のデータ入出力ポートより入力されたデータを第３のデータ入出力ポートに転送し、かつ、第３のデータ入出力ポートより入力されたデータを第１のデータ入出力ポートに転送する手段を有し、
コントローラは、
当該コントローラが第３のデータ入出力ポートを介して、対向する下位リンク制御装置の出力した障害回復信号を受信したとき、データスイッチ素子が、第１のデータ入出力ポートより入力されたデータのうち、該対向する下位リンク制御装置宛のデータを、第２のデータ出力ポートに転送するよう該データスイッチ素子を制御する手段と、
当該コントローラが第３のデータ入出力ポートを介して、対向する下位リンク制御装置の出力した障害発生信号を受信したとき、データスイッチ素子が第１のデータ入出力ポートより入力されたデータのうち、対向する下位リンク制御装置宛のデータを、第３のデータ入出力ポートに転送するよう、該データスイッチ素子を制御する手段と、
を有する。
【００１９】
本発明（請求項６）は、データ通信に用いられる装置であり、通信回線の障害時に、データリンク層においてリンクを制御する下位リンク制御装置であって、
下位リンク制御装置は、
データスイッチ素子と、
データスイッチ素子と接続されるコントローラと、
データスイッチ素子と接続される第１のデータ入出力ポートと、
データスイッチ素子と接続される第２のデータ入力ポートと、
データスイッチ素子と接続される第３のデータ入出力ポートと、
コントローラと接続される障害検出信号入力ポートと、
を備え、
データスイッチ素子は、
第１のデータ入出力ポートより入力されたデータを第３のデータ入出力ポートに転送し、かつ、第２のデータ入力ポートと該第３のデータ入出力ポートより入力されたデータを多重し、該第１のデータ入出力ポートに転送する手段を有し、
コントローラは、
当該コントローラが障害検出信号入力ポートを介して、第２のデータ入力ポートに接続されている通信回線の障害が回復したことを示す信号を受信したとき、該第２のデータ入力ポートに接続されている通信回線の障害が回復した旨を通知する障害回復信号を作成し、該障害回復信号を、データスイッチ素子を介して、第３のデータ入出力ポートへ出力する手段と、
当該コントローラが、障害検出信号入力ポートを介して、第２のデータ入力ポートに接続されている通信回線に障害が発生したことを示す信号を受信したとき、該第２のデータ入力ポートに接続されている通信回線に障害が発生したことを通知する障害発生信号を作成し、該障害発生信号を、データスイッチ素子を介して、第３のデータ入出力ポートへ出力する手段と、を有する。
【００２０】
本発明（請求項７）は、データスイッチ素子と、
データスイッチ素子と接続されるコントローラと、
データスイッチ素子と接続される第１のデータ入出力ポートと、
データスイッチ素子と接続される第２の主データ入出力ポートと、
データスイッチ素子と接続される第２の予備データ入出力ポートと、
コントローラと接続される障害検出信号入力ポートと、
を備える第１のリンク制御装置Ａと第２のリンク制御装置Ｂとが、ポイント・ツー・ポイントで接続される通信システムであって、
第１のリンク制御装置Ａの第２の主データ入出力ポートＡ及び障害検出信号入力ポートＡに、データを伝送する媒体を変換する第１のメディアコンバータが接続され、
第２のリンク制御装置Ｂの第２の主データ入出力ポートＢ及び障害検出信号入力ポートＢに、データを伝送する媒体を変換する第２のメディアコンバータが接続され、
第１のメディアコンバータと第２のメディアコンバータとは、主回線を介して接続され、
第１リンク制御装置Ａ及び第２のリンク制御装置リンク制御装置の第２の予備入出力ポートＡ，Ｂ同士が予備回線を介して接続され、
通信システムの初期状態では、
第１のリンク制御装置Ａのデータスイッチ素子Ａは、
第１のデータ入出力ポートＡより入力されたデータを第２の予備データ入出力ポートＡに転送し、かつ、第２の主データ入出力ポートＡと該第２の予備データ入出力ポートＡより入力されたデータを多重し、該第１のデータ入出力ポートＡに転送し、
かつ、第２のリンク制御装置Ｂのデータスイッチ素子Ｂは、
第１のデータ入出力ポートＢより入力されたデータを第２の予備データ入出力ポートＢに転送し、かつ、第２の主データ入出力ポートＢと該第２の予備データ入出力ポートＢより入力されたデータを多重し、該第１のデータ入出力ポートＢに転送することにより、
第１のデータ入出力ポートＡ及び第１のデータ入出力ポートＢに入力されたデータは、データスイッチ素子Ａ及び第２の予備データ入出力ポートＡ及び予備回線及び第２の予備データ入出力ポートＢ及びデータスイッチ素子Ｂを介して転送され、
コントローラＡが、第１のメディアコンバータ及び障害検出信号入力ポートＡを介して、第１のメディアコンバータに接続されている主回線の受信障害が回復した、ないしは受信障害が発生していないことを示す信号を受信したとき、
当該第１のリンク制御装置ＡのコントローラＡは、
主回線の受信障害が回復した旨を通知する障害回復信号Ａを作成し、該障害回復信号Ａを、データスイッチ素子Ａ、及び第２の主データ入出力ポートＡ、及び第１のメディアコンバータ、及び主回線、及び第２のメディアコンバータ、及び第２の主データ入出力ポートＢ、及びデータスイッチ素子Ｂを介して、ないしは、データスイッチ素子Ａ、及び第２の予備データ入出力ポートＡ、及び予備回線、及び、第２の予備データ入出力ポートＢ、及びデータスイッチ素子Ｂを介して、第２のリンク制御装置ＢのコントローラＢへ出力し、
当該コントローラＢは、
障害回復信号Ａを受信したとき、
または、
障害回復信号Ａを受信し、かつ、第２のメディアコンバータ及び障害検出信号入力ポートＢを介して、第２のメディアコンバータに接続されている主回線の受信障害が回復した、ないしは受信障害が発生していないことを示す信号を受信しているとき、
データスイッチ素子Ｂが、第１のデータ入出力ポートＢより入力されたデータを、該第２の主データ入出力ポートＢに転送するよう該データスイッチ素子Ｂを制御することにより、
第１のデータ入出力ポートＢに入力されたデータは、データスイッチ素子Ｂ、及び第２の主データ入出力ポートＢ、及び第２のメディアコンバータ、及び主回線、及び第１のメディアコンバータ、及び第２の主データ入出力ポートＡ、及びデータスイッチ素子Ａを介して、第１のデータ入出力ポートＡに転送され、
コントローラＢが、第２のメディアコンバータ及び障害検出信号入力ポートＢを介して、第２のメディアコンバータに接続されている主回線の受信障害が回復した、ないしは受信障害が発生していないことを示す信号を受信したとき、
当該第２のリンク制御装置ＢのコントローラＢは、
主回線の受信障害が回復した旨を通知する障害回復信号Ｂを作成し、該障害回復信号Ｂを、第１のリンク制御装置ＡのコントローラＡへ出力し、
当該コントローラＡは、
障害回復信号Ｂを受信したとき、
ないしは、
障害回復信号Ｂを受信し、かつ、第１のメディアコンバータ及び障害検出信号入力ポートＡを介して、第１のメディアコンバータに接続されている主回線の受信障害が回復した、ないしは受信障害が発生していないことを示す信号を受信しているとき、
データスイッチ素子Ａが、第１のデータ入出力ポートＡより入力されたデータを、該第２の主データ入出力ポートＡに転送するよう該データスイッチ素子Ａを制御することにより、
第１のデータ入出力ポートＡに入力されたデータは、データスイッチ素子Ａ、及び第２の主データ入出力ポートＡ、及び第１のメディアコンバータ、及び主回線、及び第２のメディアコンバータ、及び第２の主データ入出力ポートＢ、及びデータスイッチ素子Ｂを介して、第１のデータ入出力ポートＢに転送され、
コントローラＡが、第１のメディアコンバータ及び障害検出信号入力ポートＡを介して、第１のメディアコンバータに接続されている主回線の受信障害が発生したことを示す信号を受信したとき、
当該第１のリンク制御装置ＡのコントローラＡは、
主回線の受信障害が発生した旨を通知する障害発生信号Ａを作成し、該障害発生信号Ａを、データスイッチ素子Ａ、及び第２の主データ入出力ポートＡ、及び第１のメディアコンバータ、及び主回線、及び第２のメディアコンバータ、及び第２の主データ入出力ポートＢ、及びデータスイッチ素子Ｂを介して、ないしは、データスイッチ素子Ａ、及び第２の予備データ入出力ポートＡ、及び予備回線、及び第２の予備データ入出力ポートＢ、及びデータスイッチ素子Ｂを介して、第２のリンク制御装置ＢのコントローラＢへ出力し、
当該コントローラＢは、
障害発生信号Ａを受信したとき、データスイッチ素子Ｂが、第１のデータ入出力ポートＢより入力されたデータを、該第２の予備データ入出力ポートＢに転送するよう該データスイッチ素子Ｂを制御することにより、
第１のデータ入出力ポートＢに入力されたデータは、データスイッチ素子Ｂ、及び第２の予備データ入出力ポートＢ、及び予備回線、及び第２の予備データ入出力ポートＡ、及びデータスイッチ素子Ａを介して、第１のデータ入出力ポートＡに転送され、
コントローラＢが、第２のメディアコンバータ及び障害検出信号入力ポートＢを介して、第２のメディアコンバータに接続されている主回線の受信障害が発生したことを示す信号を受信したとき、
当該第２のリンク制御装置ＢのコントローラＢは、
主回線の受信障害が発生した旨を通知する障害発生信号Ｂを作成し、該障害発生信号Ｂを、データスイッチ素子Ｂ、及び第２の主データ入出力ポートＢ、及び第２のメディアコンバータ、及び主回線、及び第１のメディアコンバータ、及び第２の主データ入出力ポートＡ、及びデータスイッチ素子Ａを介して、ないしは、データスイッチ素子Ｂ、及び第２の予備データ入出力ポートＢ、及び予備回線、及び第２の予備データ入出力ポートＡ、及びデータスイッチ素子Ａを介して、第１のリンク制御装置ＡのコントローラＡへ出力し、
当該コントローラＡは、
障害発生信号Ｂを受信したとき、データスイッチ素子Ａが、第１のデータ入出力ポートＡより入力されたデータを、該第２の予備データ入出力ポートＡに転送するよう該データスイッチ素子Ａを制御することにより、
第１のデータ入出力ポートＡに入力されたデータは、データスイッチ素子Ａ、及び第２の予備データ入出力ポートＡ、及び予備回線、及び第２の予備データ入出力ポートＢ、及びデータスイッチ素子Ｂを介して、第１のデータ入出力ポートＢに転送される。
【００２１】
本発明（請求項８）は、リンク制御装置を用いた通信システムであって、
データスイッチ素子と、
データスイッチ素子Ａと接続されるコントローラＡと、
データスイッチ素子Ａと接続される第１のデータ入出力ポートＡと、
データスイッチ素子Ａと接続される複数の第２の主データ入出力ポートＡと、
データスイッチ素子Ａと接続される複数の第２の予備データ入出力ポートＡと、
コントローラＡと接続される複数の障害検出信号入力ポートＡと、
を備える第１のリンク制御装置Ａと、
データスイッチ素子Ｂと、
データスイッチ素子Ｂと接続されるコントローラＢと、
データスイッチ素子Ｂと接続される第１のデータ入出力ポートＢと、
データスイッチ素子Ｂと接続される第２の主データ入出力ポートＢと、
データスイッチ素子Ｂと接続される第２の予備データ入出力ポートＢと、
コントローラＢと接続される障害検出信号入力ポートＢと、
を備える複数の第２のリンク制御装置Ｂと、
第１のリンク制御装置Ａと複数の第２のリンク制御装置Ｂとがスター状に接続され、
第１のリンク制御装置Ａの複数の第２の主データ入出力ポートＡにはそれぞれ、データを伝送する媒体を変換する第１のメディアコンバータが接続され、
第１のメディアコンバータのそれぞれは、障害検出信号入力ポートＡのいずれかに接続され、
複数の第２のリンク制御装置Ｂ毎に、第２の主データ入出力ポートＢ及び障害検出信号入力ポートＢに、データを伝送する媒体を変換する第２のメディアコンバータが接続され、
第１のメディアコンバータのいずれかと第２のメディアコンバータのいずれかが、主回線により１対１で接続され、
第１のリンク制御装置Ａの複数の第２の予備入出力ポートＡと、複数の第２のリンク制御装置Ｂの第２の予備入出力ポートＢ同士が予備回線ないしは予備ネットワークを介して接続され、
通信システムの初期状態では、
第１のリンク制御装置Ａのデータスイッチ素子Ａは、
第１のデータ入出力ポートＡより入力されたデータを、データに記載の宛先アドレス情報に基づき、複数の第２の予備データ入出力ポートＡのいずれかに転送し、かつ、複数の第２の主データ入出力ポートＡと複数の第２の予備データ入出力ポートＡより入力されたデータを多重し、該第１のデータ入出力ポートＡに転送し、
かつ、第２のリンク制御装置Ｂのデータスイッチ素子Ｂのそれぞれは、
第１のデータ入出力ポートＢより入力されたデータを第２の予備データ入出力ポートＢに転送し、かつ、第２の主データ入出力ポートＢと該第２の予備データ入出力ポートＢより入力されたデータを多重し、該第１のデータ入出力ポートＡに転送することにより、
第１のリンク制御装置Ａと複数の第２のリンク制御装置の間で送受信されるデータは、データスイッチ素子Ａ、及び第２の予備データ入出力ポートＡ及び予備回線ないしは、予備ネットワーク及び第２の予備データ入出力ポートＢ及びデータスイッチ素子Ｂを介して転送され、
コントローラＡが、第１のメディアコンバータのいずれかに接続されている主回線の受信障害が回復した、ないしは受信障害が発生していないことを示す信号を、該第１のメディアコンバータ及び該第１のメディアコンバータが接続されている障害検出信号入力ポートＡを介して、受信したとき、
当該第１のリンク制御装置ＡのコントローラＡは、
該主回線の受信障害が回復した旨を通知する障害回復信号Ａを作成し、該障害回復信号Ａを、該主回線を介して通信可能な第２のリンク制御装置のコントローラＢ宛てに、データスイッチ素子Ａ、及び該第１のメディアコンバータが接続されている第２の主データ入出力ポートＡ、及び該第１のメディアコンバータ、及び該主回線、及び該主回線と接続されている第２のメディアコンバータ、及び該第２のメディアコンバータが接続されている第２の主データ入出力ポートＢ、及びデータスイッチ素子Ｂを介して、ないしは、データスイッチ素子Ａ、及び第２の予備データ入出力ポートＡのいずれか、及び予備回線、及び第２の予備データ入出力ポートＢ、及びデータスイッチ素子Ｂを介して出力し、
当該コントローラＢは、
障害回復信号Ａを受信したとき、
ないしは、
障害回復信号Ａを受信し、かつ、第２のメディアコンバータ及び障害検出信号入力ポートＢを介して、第２のメディアコンバータに接続されている主回線の受信障害が回復した、ないしは受信障害が発生していないことを示す信号を受信しているとき、
データスイッチ素子Ｂが、第１のデータ入出力ポートＢより入力されたデータを、該第２の主データ入出力ポートＢに転送するよう該データスイッチ素子Ｂを制御することにより、
第１のデータ入出力ポートＢに入力されたデータは、データスイッチ素子Ｂ、及び第２の主データ入出力ポートＢ、及び第２のメディアコンバータ、及び主回線、及び第１のメディアコンバータ、及び第２の主データ入出力ポートＡ、及びデータスイッチ素子Ａを介して、第１のデータ入出力ポートＡに転送され、
リンク制御装置ＢのいずれかにおけるコントローラＢが、第２のメディアコンバータ及び障害検出信号入力ポートＢを介して、第２のメディアコンバータに接続されている主回線の受信障害が回復した、ないしは受信障害が発生していないことを示す信号を受信したとき、
当該第２のリンク制御装置ＢのコントローラＢは、
主回線の受信障害が回復した旨を通知する障害回復信号Ｂを作成し、該障害回復信号Ｂを、第１のリンク制御装置のコントローラＡ宛てに、データスイッチ素子Ｂ、及び第２の主データ入出力ポートＢ、及び第２のメディアコンバータ、及び主回線、及び第１のメディアコンバータ、及び第２の主データ入出力ポートＡ、及びデータスイッチ素子Ａを介して、ないしは、データスイッチ素子Ｂ、及び第２の予備データ入出力ポートＢ、及び予備回線、及び第２の予備データ入出力ポートＡ、及びデータスイッチ素子Ａを介して出力し、
当該コントローラＡは、
障害回復信号Ｂを受信したとき、
ないしは、
障害回復信号Ｂを受信し、かつ、当該主回線が接続されている第１のメディアコンバータ及び該第１のメディアコンバータが接続されている障害検出信号入力ポートＡを介して、該第１のメディアコンバータに接続されている主回線の受信障害が回復した、ないしは受信障害が発生していないことを示す信号を受信しているとき、
データスイッチ素子Ａが、第１のデータ入出力ポートＡより入力された該第２のリンク制御装置Ｂ宛てのデータを、該主回線を介して通信可能な第２の主データ入出力ポートＡに転送するよう該データスイッチ素子Ａを制御することにより、
第１のデータ入出力ポートＡに入力された該第２のリンク制御装置Ｂ宛てのデータは、データスイッチ素子Ａ、及び第２の主データ入出力ポートＡ、及び第１のメディアコンバータ、及び主回線、及び第２のメディアコンバータ、及び第２の主データ入出力ポートＢ、及びデータスイッチ素子Ｂを介して、第１のデータ入出力ポートＢに転送され、
コントローラＡが、第１のメディアコンバータのいずれかに接続されている主回線の受信障害が発生したことを示す信号を、該第１のメディアコンバータ及び該第１のメディアコンバータが接続されている障害検出信号入力ポートＡを介して、受信したとき、
当該第１のリンク制御装置ＡのコントローラＡは、
主回線の受信障害が発生した旨を通知する障害発生信号Ａを作成し、該障害発生信号Ａを、該主回線を介して通信可能であった第２のリンク制御装置のコントローラＢ宛てにデータスイッチ素子Ａ、及び該第１のメディアコンバータが接続されている第２の主データ入出力ポートＡ、及び該第１のメディアコンバータ、及び該主回線、及び該主回線と接続されている第２のメディアコンバータ、及び該第２のメディアコンバータが接続されている第２の主データ入出力ポートＢ、及びデータスイッチ素子Ｂを介して、ないしは、データスイッチ素子Ａ、及び第２の予備データ入出力ポートＡのいずれか、及び予備回線、及び第２の予備データ入出力ポートＢ、及びデータスイッチ素子Ｂを介して出力し、
当該コントローラＢは、
障害発生信号Ａを受信したとき、
データスイッチ素子Ｂが、第１のデータ入出力ポートＢより入力されたデータを、該第２の予備データ入出力ポートＢに転送するよう該データスイッチ素子Ｂを制御することにより、
第１のデータ入出力ポートＢに入力されたデータは、データスイッチ素子Ｂ、及び第２の予備データ入出力ポートＢ、及び予備回線、及び第２の予備データ入出力ポートＡ、及びデータスイッチ素子Ａを介して、第１のデータ入出力ポートＡに転送され、
リンク制御装置ＢのいずれかにおけるコントローラＢが、第２のメディアコンバータ及び障害検出信号入力ポートＢを介して、第２のメディアコンバータに接続されている主回線の受信障害が発生したことを示す信号を受信したとき、
当該第２のリンク制御装置ＢのコントローラＢは、
主回線の受信障害が発生した旨を通知する障害発生信号Ｂを作成し、該障害発生信号Ｂを、第１のリンク制御装置のコントローラＡ宛てにデータスイッチ素子Ｂ、及び第２の主データ入出力ポートＢ、及び第２のメディアコンバータ、及び主回線、及び第１のメディアコンバータ、及び第２の主データ入出力ポートＡ、及びデータスイッチ素子Ａを介して、ないしは、データスイッチ素子Ｂ、及び第２の予備データ入出力ポートＢ、及び予備回線、及び第２の予備データ入出力ポートＡ、及びデータスイッチ素子Ａを介して出力し、
当該コントローラＡは、
障害発生信号Ｂを受信したとき、
データスイッチ素子Ａが、第１のデータ入出力ポートＡより入力された該第２のリンク制御装置Ｂ宛てのデータを、第２の予備データ入出力ポートＡに転送するよう該データスイッチ素子Ａを制御することにより、
第１のデータ入出力ポートＡに入力された該第２のリンク制御装置Ｂ宛てのデータは、データスイッチ素子Ａ、及び第２の予備データ入出力ポートＡ、及び予備回線、及び第２の予備データ入出力ポートＢ、及びデータスイッチ素子Ｂを介して、第１のデータ入出力ポートＢに転送される。
【００２２】
本発明（請求項９）は、上記の請求項７記載のリンク制御装置を用いた通信システムであって、
第２のリンク制御装置Ｂは、複数の第２のリンク制御装置Ｂであり、
第２のメディアコンバータは、第２のリンク制御装置Ｂと同数の第２のメディアコンバータであり、
第１のリンク制御装置Ａと、複数の第２のリンク制御装置Ｂとがスター状に接続され、
第１のリンク制御装置Ａの第２の主データ入出力ポートＡ及び障害検出信号入力ポートＡに、データを伝送する媒体を変換する第１のメディアコンバータが接続され、
複数の第２のリンク制御装置Ｂ毎の第２の主データ入出力ポートＢ及び障害検出信号入力ポートＢに、データを伝送する媒体を変換する第２のメディアコンバータがそれぞれ接続され、
第１のリンク制御装置Ａに接続された第１のメディアコンバータと複数の第２のリンク制御装置Ｂにそれぞれ接続された第２のメディアコンバータを接続する主回線は、主ネットワークであり、
第１のリンク制御装置Ａの第２の主データ入出力ポートＡと複数の第２のリンク制御装置Ｂの各々の第２の主データ入出力ポートＢとが、第１のメディアコンバータ、主ネットワーク及び第２のメディアコンバータを介して接続され、
第１のリンク制御装置Ａの第２の予備入出力ポートＡと、複数の第２のリンク制御装置Ｂの第２の予備入出力ポートＢ同士を接続する予備回線は、予備ネットワークであり、
コントローラＢは、
障害回復信号Ａを受信したとき、
ないしは、
障害回復信号Ａを受信し、かつ、第２のメディアコンバータ及び障害検出信号入力ポートＢを介して、第２のメディアコンバータに接続されている主ネットワークの受信障害が回復した、ないしは受信障害が発生していないことを示す信号を受信しているとき、
データスイッチ素子Ｂが、第１のデータ入出力ポートＢより入力されたデータのうち、該障害回復信号Ａを送信したリンク制御装置Ａ宛てのデータを、該第２の主データ入出力ポートＢに転送するよう該データスイッチ素子Ｂを制御し、
コントローラＡは、
障害回復信号Ｂを受信したとき、
ないしは、
障害回復信号Ｂを受信し、かつ、第１のメディアコンバータ及び障害検出信号入力ポートＡを介して、第１のメディアコンバータに接続されている主ネットワークの受信障害が回復した、ないしは受信障害が発生していないことを示す信号を受信しているとき、
データスイッチ素子Ａが、第１のデータ入出力ポートＡより入力されたデータのうち、該障害回復信号Ｂを送信したリンク制御装置Ｂ宛てのデータを、該第２の主データ入出力ポートＡに転送するよう該データスイッチ素子Ａを制御し、
コントローラＢは、
障害発生信号Ａを受信したとき、データスイッチ素子Ｂが、第１のデータ入出力ポートＢより入力されたデータのうち、該障害回復信号Ａを送信したリンク制御装置Ａ宛てのデータを、該第２の予備データ入出力ポートＢに転送するよう該データスイッチ素子Ｂを制御し、
コントローラＡは、
障害発生信号Ｂを受信したとき、データスイッチ素子Ａが、第１のデータ入出力ポートＡより入力されたデータのうち、該障害回復信号Ｂを送信したリンク制御装置Ｂ宛てのデータを、該第２の予備データ入出力ポートＡに転送するよう該データスイッチ素子Ａを制御する。
【００２３】
本発明（請求項１０）は、データ通信に用いられる装置であり、通信回線の障害時に、データリンク層においてリンクを制御する上位リンク制御装置と、データ通信に用いられる装置であり、通信回線の障害時に、データリンク層においてリンクを制御する下位リンク制御装置とから構成される通信システムであって、
上位リンク制御装置Ａは、
データスイッチ素子Ａと、
データスイッチ素子Ａと接続されるコントローラＡと、
データスイッチ素子Ａと接続される第１のデータ入出力ポートＡと、
データスイッチ素子Ａと接続される第２のデータ出力ポートＡと、
データスイッチ素子Ａと接続される第３のデータ入出力ポートＡと、
を備え、
下位リンク制御装置Ｂは、
データスイッチ素子Ｂと、
データスイッチ素子Ｂと接続されるコントローラＢと、
データスイッチ素子Ｂと接続される第１のデータ入出力ポートＢと、
データスイッチ素子Ｂと接続される第２のデータ入力ポートＢと、
データスイッチ素子Ｂと接続される第３のデータ入出力ポートＢと、
コントローラＢと接続される障害検出信号入力ポートＢと、
を備え、
上位リンク制御装置Ａの第２のデータ出力ポートＡには送信器が接続され、
下位リンク制御装置Ｂの第２のデータ入力ポートＢには受信器が接続され、
送信器と受信器とが主回線で接続され、
上位リンク制御装置Ａの第３のデータ入出力ポートＡと、下位リンク制御装置Ｂの第３のデータ入出力ポートＢとが予備回線を介して接続され、
通信システムの初期状態では、
上位リンク制御装置Ａのデータスイッチ素子Ａは、
第１のデータ入出力ポートＡより入力されたデータを第３のデータ入出力ポートＡに転送し、かつ、第３のデータ入出力ポートＡより入力されたデータを該第１のデータ入出力ポートＡに転送し、
かつ、下位リンク制御装置Ｂのデータスイッチ素子Ｂは、
第１のデータ入出力ポートＢより入力されたデータを第３のデータ入出力ポートＢに転送し、かつ、第２のデータ入力ポートＢと該第３のデータ入出力ポートＢより入力されたデータを多重し、該第１のデータ入出力ポートＢに転送することにより、
第１のデータ入出力ポートＡ及び第１のデータ入出力ポートＢに入力されたデータは、データスイッチ素子Ａ及び第３のデータ入出力ポートＡ及び予備回線及び第３のデータ入出力ポートＢ及びデータスイッチ素子Ｂを介して転送され、
コントローラＢが、受信器及び障害検出信号入力ポートＢを介して、受信器に接続されている主回線の受信障害が回復した、ないしは受信障害が発生していないことを示す信号を受信したとき、
当該下位リンク制御装置ＢのコントローラＢは、
主回線の受信障害が回復した旨を通知する障害回復信号Ｂを作成し、該障害回復信号Ｂを、データスイッチ素子Ｂ、及び第３のデータ入出力ポートＢ、及び予備回線、及び第３のデータ入出力ポートＡ、及びデータスイッチ素子Ａを介して、上位リンク制御装置ＡのコントローラＡへ出力し、
当該コントローラＡは、
障害回復信号Ｂを受信したとき、データスイッチ素子Ａが、第１のデータ入出力ポートＡより入力されたデータを、該第２のデータ出力ポートＡに転送するよう該データスイッチ素子Ａを制御することにより、
第１のデータ入出力ポートＡに入力されたデータは、データスイッチ素子Ａ、及び第２のデータ出力ポートＡ、及び送信器、及び主回線、及び受信器、及び第２のデータ入力ポートＢ、及びデータスイッチ素子Ｂを介して、第１のデータ入出力ポートＢに転送され、
コントローラＢが、受信器及び障害検出信号入力ポートＢを介して、受信器に接続されている主回線の受信障害が発生したことを示す信号を受信したとき、
当該下位リンク制御装置ＢのコントローラＢは、
主回線の受信障害が発生した旨を通知する障害発生信号Ｂを作成し、該障害発生信号Ｂを、データスイッチ素子Ｂ、及び第３のデータ入出力ポートＢ、及び予備回線、及び第３のデータ入出力ポートＡ、及びデータスイッチ素子Ａを介して、上位リンク制御装置ＡのコントローラＡへ出力し、
当該コントローラＡは、
障害発生信号Ｂを受信したとき、データスイッチ素子Ａが、第１のデータ入出力ポートＡより入力されたデータを、該第３のデータ入出力ポートＡに転送するよう該データスイッチ素子Ａを制御することにより、
第１のデータ入出力ポートＡに入力されたデータは、データスイッチ素子Ａ、及び第３のデータ入出力ポートＡ、及び予備回線、及び第３のデータ入出力ポートＢ、及びデータスイッチ素子Ｂを介して、第１のデータ入出力ポートＢに転送される。
【００２４】
本発明（請求項１１）は、請求項１０記載のリンク制御装置を用いた通信システムであって、
下位リンク制御装置Ｂは、複数の下位リンク制御装置Ｂであり、
受信器は、下位リンク制御装置Ｂと同数の第２の受信器であり、
上位リンク制御装置Ａと、複数の下位リンク制御装置Ｂとがスター状に接続され、
上位リンク制御装置Ａの第２のデータ出力ポートＡに接続された送信器と、複数の下位リンク制御装置Ｂのそれぞれにおける、第２のデータ入力ポートＢに接続された受信器とを接続する主回線は、主ネットワークであり、
上位リンク制御装置Ａの第３の入出力ポートＡと、複数の下位リンク制御装置Ｂの第３の入出力ポートＢ同士を接続する予備回線は、予備ネットワークであり、
コントローラＡは、
障害回復信号Ｂを受信したとき、データスイッチ素子Ａが、第１のデータ入出力ポートＡより入力されたデータのうち、該障害回復信号Ｂを送信した下位リンク制御装置Ｂ宛てのデータを、該第２のデータ出力ポートＡに転送するよう該データスイッチ素子Ａを制御し、
コントローラＡは、
障害発生信号Ｂを受信したとき、データスイッチ素子Ａが、第１のデータ入出力ポートＡより入力されたデータのうち、該障害発生信号Ｂを送信した下位リンク制御装置Ｂ宛てのデータを、該第３のデータ入出力ポートＡに転送するよう該データスイッチ素子Ａを制御する。
【発明の効果】
【００２５】
上記のように、本発明のリンク制御装置により、高速に主回線と予備回線を切り替えることが可能なデータ通信サービスを提供することができる。
【００２６】
また、本発明の通信システムにより、高速に主回線と予備回線を切り替えることが可能なデータ通信サービスを提供することができる。
【発明を実施するための最良の形態】
【００２７】
以下、図面と共に本発明の実施の形態を説明する。
【００２８】
［第１の実施の形態］
図２は、本発明の第１の実施の形態におけるリンク制御装置の構成を示し、図３及び図４は、本発明の第１の実施の形態におけるリンク制御装置を用いた通信システムの構成を示す。
【００２９】
図３に示す第１及び第２のリンク制御装置１００１，１００２は、図２に示すように、それぞれ第２の主データ入出力ポート１５０と第２の予備データ入出力ポート１４０とを１対有し、第１のリンク制御装置１００１と第２のリンク制御装置１００２とは、１対１で接続されている。
【００３０】
なお、図２、図３、図４では、データリンク層のプロトコルがイーサネット（登録商標）であるとして構成した。
【００３１】
図２に示すリンク制御装置１００は、第１のデータ入出力ポート１１０、と、第２の主データ入出力ポート１５０と、第２の予備データ入出力ポート１４０と、障害検出信号入力ポート１６０と、データスイッチ素子であるイーサネット（登録商標）スイッチ素子１２０と、コントローラ１３０とで構成される。
【００３２】
第１のデータ入出力ポート１１０は、イーサネット（登録商標）スイッチ素子１２０を介して、第２の主データ入出力ポート１５０及び第２の予備データ入出力ポート１４０と接続される。
【００３３】
また、障害検出信号入力ポート１６０は、コントローラ１３０と接続され、コントローラ１３０は、イーサネット（登録商標）スイッチ素子１２０と接続される。
【００３４】
第１のデータ入出力ポート１１０と、第２の主データ入出力ポート１５０と、第２の予備データ入出力ポート１４０は、イーサネット（登録商標）のデータフレームを入出力するためのポート、あるいは、インタフェースであり、例えば、ケーブル等と接続するためのコネクタ、ケーブル等に信号を流すための送受信デバイス(例えば、光トランシーバ等)、物理層デバイス(一般に、ＰＨＹデバイス、ＰＨＹチップなどと呼ばれる)などで構成されていてもよい。
【００３５】
なお、第２の主データ入出力ポート１５０は、通常使われる主回線が接続され、第２の予備データ入出力ポート１４０は、予備回線が接続されることから、第２の予備データ入出力ポート１４０の伝送速度は、第２の主データ入出力ポート１５０の伝送速度に比べて、遅くてもよい。そこで、例えば、第２の主データ入出力ポート１５０として、ギガビットイーサネット（登録商標）の規格「１０００ＢＡＳＥ−ＳＸ」等を採用し、第２の予備データ入出力ポートとして、ファストイーサネット（登録商標）の規格「１００ＢＡＳＥ−ＴＸ」ないしはイーサネット（登録商標）の規格「１０ＢＡＳＥ−Ｔ」を採用してもよい。本発明は、入出力ポートの規格に対して制限されるものではない。
【００３６】
イーサネット（登録商標）スイッチ素子１２０は、イーサネット（登録商標）のデータフレームを、その宛先アドレスに基づいて転送処理を行うデバイスであり、一般的にはスイッチファブリックと呼ばれるものであってもよい。
【００３７】
障害検出信号入力ポート１６０は、第２の主データ入出力ポート１５０に接続されるメディアコンバータ（図３において後述する）から出力される障害検出信号を入力するためのポートであり、ケーブル等と接続するためのコネクタ、ケーブル等から入力された信号をコントローラ１３０が認識できる信号形態に変換するための信号変換回路等で構成されていてもよい。
【００３８】
コントローラ１３０は、障害検出信号入力ポートから入力された障害検出信号を受信し、かつ、解読し、障害検出信号の内容に基づいて、イーサネット（登録商標）スイッチ素子１２０を制御するものであり、演算回路であるＣＰＵ(Central Processing Unit)及びランダムアクセスメモリ（ＲＡＭ）、リードオンリメモリ（ＲＯＭ）、それらを接続するためのバス等で構成されていてもよい。
【００３９】
図２に示すリンク制御装置１００は、障害検出信号の状態に基づき、第１のデータ入出力ポート１１０から入力されたデータフレームを、第２の主データ入出力ポート１５０、乃至は、第２の予備データ入出力ポート１４０へ転送する。転送条件については後述する。
【００４０】
図３に示す通信システムは、第１のリンク制御装置１００１と、第２のリンク制御装置１００２と、第１のメディアコンバータ３００１と、第２のメディアコンバータ３００２と、モデム２００１，２００２で構成される。
【００４１】
第１のネットワーク５００１は、第１のリンク制御装置１００１における第１のデータ入出力ポート１１０１と接続され、第２のネットワーク５００２は、第２のリンク制御装置５００２における第１のデータ入出力ポート１１０２と接続される。また、第１のリンク制御装置１００１における第２の主データ入出力ポート１５０１は、第１のメディアコンバータ３００１と接続され、第２のリンク制御装置１００２における第２の主データ入出力ポート１５０２は、第２のメディアコンバータ３００２と接続される。第１のメディアコンバータ３００１と第２のメディアコンバータ３００２は、主回線６００を介して１対１で接続される。接続するための主回線６００は、例えば、光ケーブルで直接接続してもよい。また、無線により１対１で接続してもよい。さらに、通信事業者が提供する専用線などのＷＡＮ(Wide-Area Network)回線であってもよい。接続するための回線種別については、本発明では限定しない。
【００４２】
第１のリンク制御装置１００１における第２の予備データ入出力ポート１４０１と、第２のリンク制御装置１００２における第２の予備データ入出力ポート１４０２は、予備回線を介して１対１で接続される。接続するための予備回線は、例えば、図３に示すように、電話網等の公衆網４００であってもよい。その場合は、第１及び第２のリンク制御装置１００１，１００２における第２の予備データ入出力ポート１４０１，１４０２は、モデム２００１，２００２を介して公衆網４００と接続すればよい。接続するための回線種別については、本発明では限定しない。但し、主回線６００は、予備回線４００に比べて高速な伝送速度を有する回線を用いる方がよい。なぜなら、予備回線４００は、主回線６００の故障時に用いられるという性格から、予備回線４００にかける費用は少ないほうが望ましいからである。通常、通信装置の価格、あるいは通信事業者が提供する通信回線の費用は、回線の伝送速度が速くなるにつれて高くなる。
【００４３】
メディアコンバータ３００１，３００２は、データを伝送する媒体(メディア)を変換する装置である。例えば、主回線として、通信事業者が提供する専用線等を介して接続される場合、メディアコンバータ３００は、リンク制御装置１００における第２の主データ入出力ポート１５０の通信媒体と、専用線の通信媒体とを変換する。また、主回線として、無線回線等を介して接続される場合、メディアコンバータ３００は、リンク制御装置１００における第２の主データ入出力ポート１５０の通信媒体と、無線回線の通信媒体とを変換する。
【００４４】
ここで、第１及び第２のメディアコンバータ３００１，３００２は、図３に示すように、主回線６００の受信状態を示す障害検出信号を出力する。第１のメディアコンバータ３００１から出力される障害検出信号は、第１のリンク制御装置１００１における障害検出信号入力ポート１６０１へ入力される。一方、第２のメディアコンバータ３００２から出力される障害検出信号は、第２のリンク制御装置１００２における障害検出信号入力ポート１６０２へ入力される。
【００４５】
障害検出信号とは、メディアコンバータ３００１，３００１に接続されている主回線６００の受信状態を示す信号である。障害検出信号は、例えば、受信信号のＳＤ信号(ＳＤ:Signal Detection)であってもよい。ＳＤ信号は、例えば、図３の第１及び第２のメディアコンバータ３００１，３００２におけるＲＸ（受信部）において、主回線６００から正常な信号が受信されている場合に、ハイレベルの電圧を出力し、受信が異常である場合にローレベルの電圧を出力するように、２値の電圧レベルで表される信号であってもよい。
【００４６】
より詳細には、例えば、搬送波として光やマイクロ波を用いて通信を行う主回線の場合、メディアコンバータ３００１，３００２の受信側で搬送波の受信レベルを観測し、受信レベルが基準値(例えば、最小受信感度にマージンを加えた値)を超えている場合を、「正常に受信されている」とし、基準値を下回る場合を「受信が異常である」場合としてもよい。
【００４７】
なお、ＳＤ信号を障害検出信号とする場合、実際は、受信回線の状態を監視しているにすぎない(送信回線の状態は、メディアコンバータにはわからない)。すなわち、リンク制御装置１００１，１００２は、受信回線の状態しか知ることができない。そこで、リンク制御装置１００１，１００２が主回線の状態を検知する方法として、以降に示す２通りの方法を説明する。また、リンク制御装置１００１，１００２がどのようにして主回線６００ないしは予備回線４００にデータフレームを転送するかを、以降で検知方法毎に説明する
・方法１：
受信回線に障害が発生した場合、主回線全体が故障とみなす。
【００４８】
回線の障害とは、例えば、線路の切断や、線路の途中に介在する伝送装置の故障等が想定される。そこで、主回線６００が１芯双方向である場合、ないしは、図３で示した主回線６００のように２芯で同一経路に敷設されている場合、第１のメディアコンバータ３００１における受信回線（図３において、第２のメディアコンバータ３００２から第１のメディアコンバータ３００１に向けた主回線）が故障したとき、同時に送信回線（図３において、第１のメディアコンバータ３００１から第２のメディアコンバータ３００２へ向けた主回線）も故障すると考えられる。そこで、リンク制御装置１００は、主回線６００の受信回線に障害が発生した場合、主回線６００全体が故障とみなし、予備回線４００を用いた通信に切り替える。
【００４９】
具体的には、リンク制御装置１００１，１００２は、以下のように動作すればよい。
【００５０】
図２のリンク制御装置１００は、起動直後、及び障害検出信号入力ポート１６０を介して主回線に障害が発生していることを示す障害検出信号が入力されている場合、コントローラ１３０は障害検出信号を解読し、イーサネット（登録商標）スイッチ素子１２０が、第１のデータ入出力ポート１１０より入力されたデータを第２の予備データ入出力ポート１４０に転送し、第２の予備データ入出力ポート１４０より入力されたデータを第１のデータ入出力ポート１１０に転送するように設定する。すなわち、リンク制御装置１００が予備回線を利用するように、コントローラ１３０によりイーサネット（登録商標）スイッチ素子１２０が設定される。
【００５１】
図２のリンク制御装置１００は、障害検出信号入力ポート１６０を介して主回線に障害が発生していないことを示す障害検出信号が入力されている場合、コントローラ１３０は、障害検出信号を解読し、イーサネット（登録商標）素子１２０が第１のデータ入出力ポート１１０より入力されたデータを第２の主データ入出力ポート１５０に転送し、第２の主データ入出力ポート１５０より入力されたデータを第１のデータ入出力ポート１１０に転送するようコントローラ１３０により設定する。または、第２の主データ入出力ポート１５０と第２の予備データ入出力ポート１４０入力を多重し、第１のデータ入出力ポート１１０へ転送してもよい。この場合、全てのデータフレームが主回線で伝送される。
【００５２】
あるいは、コントローラ１３０は、第１のデータ入出力ポート１１０より入力されたデータを第２の主データ入出力ポート１５０、あるいは、第２の予備データ入出力ポート１４０に転送し、かつ、第２の主データ入出力ポート１５０と第２の予備データ入出力ポート１４０より入力されたデータを多重し、第１のデータ入出力ポート１１０に転送するように設定してもよい。この場合、データフレームは、主回線６００及び予備回線４００を同時に利用して伝送される。但し、データフレームの重複は避けなければならないため、同じフレームを同時に主回線６００と予備回線４００に流してはならない。
【００５３】
・方法２：
受信回線に障害が発生した場合、制御信号を用いて対向するリンク制御装置に広告する。
【００５４】
図４に示すように、主回線６５０が２芯で、異なる経路に敷設されている場合、第１のメディアコンバータ３００１における受信回線（図４において、第２のメディアコンバータ３００２から第１のメディアコンバータ３００１へ向けた主回線６５０）が故障したとしても、送信回線（図４において、第１のメディアコンバータ３００１から第２のメディアコンバータ３００２へ向けた主回線）が故障したとは必ずしも考えられない。そこで、第１及び第２のリンク制御装置１００は、主回線６５０における受信回線に障害が発生した場合、制御信号を用いて、対向するリンク制御装置１００(すなわち、受信回線の送信側)に受信回線が故障したことを通知する。
【００５５】
具体的には、以下のようにすればよい。
【００５６】
（１）  予備回線を介した通信開始動作：
図５は、本発明の第１の実施の形態におけるリンク制御装置の動作（１）のフローチャートである。
【００５７】
図２に示すリンク制御装置１００が起動される（ステップ１０１）。
【００５８】
リンク制御装置１００において、コントローラ１３０は、起動直後、イーサネット（登録商標）スイッチ素子１２０を、第１の入出力ポート１１０により入力されたデータを、第２の予備データ入出力ポート１４０に転送するように設定する（ステップ１０２）。あるいは、第２の主データ入出力ポート１５０と第２の予備データ入出力ポート１４０より入力されたデータを多重し、第１のデータ入出力ポート１１０に転送されるよう設定されてもよい。
【００５９】
これにより、図４に示す第１及び第２のリンク制御装置１００１，１００２は、予備回線４００を介して通信を開始する（ステップ１０３）。
【００６０】
（２）  予備回線を介した通信動作：
図６は、本発明の第１の実施の形態におけるリンク制御装置の動作（２）のフローチャートである。
【００６１】
リンク制御装置１００は、起動後（ステップ１１０）、障害検出信号入力ポート１６０に信号の入力がない場合（ステップ１１１、Ｎｏ）、イーサネット（登録商標）スイッチ素子１２０は、上記の（１）の動作を続ける（ステップ１１２）。すなわち、リンク制御装置１００１と対向するリンク制御装置１００２間では、予備回線４００を利用して通信を行う。
【００６２】
（３）  主回線５００の受信回路が異常である場合の動作：
図７は、本発明の第１の実施の形態におけるリンク制御装置の動作（３）のフローチャートである。
【００６３】
リンク制御装置１００は、起動後（ステップ１２０）、主回線６００の受信回線が異常である場合（ステップ１２１、Ｙｅｓ）、メディアコンバータ３００からリンク制御装置１００１、１００２の障害検出信号入力ポート１６０１、１６０２に向けて、主回線６００に障害が発生していることを示す障害検出信号が出力される（ステップ１２２）。
【００６４】
当該障害検出信号は、障害検出信号入力ポート１６０１、１６０２を介してコントローラ１３０１，１３０２で受信され、かつ解読される（ステップ１２３）。これにより、リンク制御装置１００のコントローラ１３０１，１３０２は、主回線６００における受信回線が異常であることを知る。この場合、イーサネット（登録商標）スイッチ素子１２０１，１２０２は、ステップ１０２の動作を続ける。
【００６５】
（４）  主回線６００の受信回線が正常である場合の動作：
図８は、本発明の第１の実施の形態におけるリンク制御装置の動作（４）のフローチャートである。以下では、図４において、リンク制御装置１００１に対向するリンク制御装置をリンク制御装置１００２として説明する。
【００６６】
起動後（ステップ１３０）、主回線６００の受信回線が正常である場合、メディアコンバータ３００１からリンク制御装置１００１の障害検出信号入力ポート１６０１に向けて、主回線６００の受信回線に障害が発生していないことを示す障害検出信号が出力される（ステップ１３１）。当該障害検出信号は、障害検出信号入力ポート１６０１を介してコントローラ１３０１で受信され、かつ解読される（ステップ１３２）。これにより、リンク制御装置１００１のコントローラ１３０１は、主回線６００における受信回線が正常であることを知る。この情報を対向するリンク制御装置１００２へ通知するため、コントローラ１３０１は、第１のメディアコンバータ３００１に接続されている受信側主回線が正常である旨を通知する制御信号である「障害回復信号」を作成し（ステップ１３３）、当該障害回復信号をイーサネット（登録商標）スイッチ素子１２０１を介して、第２の予備データ入出力ポート１４０１へ出力する（ステップ１３４）。
【００６７】
障害回復信号は、イーサネット（登録商標）のフレームフォーマット相当であることが望ましい。すなわち、最初の６バイト宛先ＭＡＣアドレス、続く６バイトに自局のＭＡＣアドレス（送信元ＭＡＣアドレス）、その後の２バイトでタイプ（あるいは長さ）を示し、データが続く構成である。
【００６８】
上記の障害回復信号は、第２の予備データ入出力ポート１４０１から、予備回線４００を介して対向するリンク制御装置１００２の第２の予備データ入出力ポート１４０２へ入力され、イーサネット（登録商標）スイッチ素子１２０２に入力される（ステップ１３５）。イーサネット（登録商標）スイッチ素子１２０２は、障害回復信号の宛先アドレスから、当該障害回復信号は、自リンク制御装置宛の信号であることを検知し、障害回復信号をコントローラ１３０２へ転送する（ステップ１３６）。
【００６９】
コントローラ１３０２は、障害回復信号を受信し、解読し、イーサネット（登録商標）スイッチ素子１２０２が、第１のデータ入出力ポート１１０２から入力されたデータを、第２の主データ入出力ポート１５０２に転送するよう、当該イーサネット（登録商標）スイッチ素子１２０２を設定する。
【００７０】
また、コントローラ１３０２は、第２の主データ入出力ポート１５０２より入力されたデータを、第１のデータ入出力ポート１１０２へ転送するよう、イーサネット（登録商標）スイッチ素子１２０２を設定する（ステップ１３７）。
【００７１】
上記のステップ１３７において、障害回復信号を受信したコントローラ１３０２は、リンク制御装置１００２の障害検出信号入力ポート１６０２を参照し、メディアコンバータ３００２での受信回線が正常である場合、第１のデータ入出力ポート１１０２から入力されたデータを、第２の主データ入出力ポート１５０２に転送するよう、当該イーサネット（登録商標）スイッチ素子１２０２を設定してもよい。なお、上記では障害回復信号は予備回線を用いて転送されたが、第２の主データ入出力ポート１５０及び主回線６００を用いて転送されてもよい。
【００７２】
なお、リンク制御装置１００２も独立して上記と同様の動作を行う。これにより、主回線６００を片方向のみ利用する実施形態が可能となる。
【００７３】
（５）  主回線６００の受信回線が異常であった場合から、正常な状態に復帰した場合の動作：
リンク制御装置１００は、主回線６００の受信回線が異常であった場合から、正常な状態に復帰した場合、上記の（４）と同様の処理を行う。
【００７４】
（６）主回線６００の受信回線が正常であった場合から、異常な状態に遷移した場合の動作：
図９は、本発明の第１の実施の形態におけるリンク制御装置の動作（６）のシーケンスチャートである。以下では、障害発生信号を生成するリンク制御装置を、図４における第１のリンク制御装置１００１とし、対向するリンク制御装置を第２のリンク制御装置１００２として説明する。
【００７５】
メディコンバータ３００１からリンク制御装置１００１の障害検出信号入力ポート１６０１に向けて、主回線６００の受信回線に障害発生したことを示す障害検出信号が出力される（ステップ１４０）。障害検出信号は、障害検出信号入力ポート１６０１を介してコントローラ１３０１で受信され、かつ解読される（ステップ１４１）。これにより、リンク制御装置１００１のコントローラ１３０１は、主回線６００における受信回線が異常であることを知る。この情報を対向するリンク制御装置１００２通知するため、コントローラ１３０１は、第２の主データ入出力ポート１５０１に接続されている受信側主回線が異常である旨を通知する制御信号である「障害発生信号」を生成し（ステップ１４２）、当該障害発生信号をイーサネット（登録商標）素子１２０１を介して、第２の予備データ入出力ポート１４０１へ出力する（ステップ１４３）。
【００７６】
なお、障害発生信号は、障害回復信号と同様に、イーサネット（登録商標）のフレームフォーマット相当であることが望ましい。
【００７７】
障害発生信号は、第２の予備データ入出力ポート１４０１から、予備回線４００を介して対向するリンク制御装置１００２の第２の予備データ入出力ポート１４０２へ入力され、イーサネット（登録商標）スイッチ素子１２０２に入力される（ステップ１４４）。
【００７８】
イーサネット（登録商標）スイッチ素子１２０２は、障害回復信号の宛先アドレスから、障害発生信号が自リンク制御装置１００２宛であることを検知し、障害発生信号をコントローラ１３０２へ転送する（ステップ１４５）。障害発生信号を受信し、解読したコントローラ１３０２は、イーサネット（登録商標）スイッチ素子１２０２が、第１のデータ入出力ポート１１０２より入力されたデータを、第２の予備データ入出力ポートに転送するよう、イーサネット（登録商標）スイッチ素子１２０２を設定する（ステップ１４６）。また、第２の主データ入出力ポート１５０２より入力されたデータは、第１のデータ入出力ポート１１０２へ転送してもよい。あるいは、破棄してもよい。この状態は上記のステップ１０２の動作と同様になる。
【００７９】
なお、リンク制御装置１００１も独立して上記と同様の動作を行う。
【００８０】
なお、図４において、主回線６００の双方向リンクが同時に障害発生した場合、第１のリンク制御装置１００１と第２のリンク制御装置１００２は、上記の動作を同時に行えばよい。なお、上記では障害回復信号は予備回線を用いて転送されたが、第２の主データ入出力ポート１５０及び主回線６００を用いて転送されてもよい。
【００８１】
［第２の実施の形態］
本実施の形態では、第１のリンク制御装置１００とｎ個のリンク制御装置が接続された構成であり、データリンク層のプロトコルとしてイーサネット（登録商標）を用いる例を説明する。
【００８２】
図１０は、本発明の第２の実施の形態におけるリンク制御装置を用いた通信システムの構成図である。
【００８３】
同図では、第１のリンク制御装置１００１に複数のリンク制御装置（第２のリンク制御装置１００２、第３のリンク制御装置１００３）が接続されている、１対多の構成を有する。
【００８４】
同図に示すリンク制御装置１００２，１００３は、リンク制御装置１００１に接続されるメディアコンバータ３００１と各々のメディアコンバータ３００２，３００３により広域イーサネット（登録商標）網等の主ネットワーク７００を介して接続されている。
【００８５】
各リンク制御装置は、図２に示す構成と同様である。
【００８６】
図１０に示す通信システムは、第２の主データ入出力ポート１５０同士が主回線となるネットワーク７００を介して１対多で接続されており、第２の予備データ入出力ポート１４０同士が予備回線となるネットワーク４００を介して接続されている点において、前述の第１の実施の形態と異なる。すなわち、システムのアーキテクチャ的な違いだけである。障害検出信号や制御信号等のやり取りについては、第１の実施の形態における（１）（４）（６）の処理が異なる。以下では、異なる動作についてのみ説明する。
【００８７】
以下に第２の実施の形態における動作を説明する。
【００８８】
（１）  予備回線を介した通信開始動作：
図１０に示すリンク制御装置１００１，１００２、１００３が起動される（ステップ２０１）。
【００８９】
リンク制御装置１００１は、起動直後、第２の主データ入出力ポート１５０１と第２の予備データ入出力ポート１６０１より入力されたデータを多重し、第１のデータ入出力ポート１１０１に転送されるようイーサネット（登録商標）スイッチ素子１２０１を設定する（ステップ２０２）。図１０に示す第１及び第２のリンク制御装置１００１，１００２及び第３のリンク制御装置１００３は、予備回線４００を介して通信を開始する（ステップ２０３）。
【００９０】
（４）  主回線６００の受信回線が正常である場合の動作：
図１２は、本発明の第２の実施の形態におけるリンク制御装置の動作（４）のフローチャートである。以下では、図１０において、リンク制御装置１００１に対向するリンク制御装置をリンク制御装置１００２として説明するが、リンク制御装置１００３はリンク制御装置１００２と同様の動作を行う。
【００９１】
リンク制御装置１００１では、起動後（ステップ２３０）、主回線６００の受信回線が正常である場合、メディアコンバータ３００１からリンク制御装置１００１の障害検出信号入力ポート１６０１に向けて、主回線６００の受信回線に障害が発生していないことを示す障害検出信号が出力される（ステップ２３１）。当該障害検出信号は、障害検出信号入力ポート１６０１を介してコントローラ１３０１で受信され、かつ解読される（ステップ２３２）。これにより、リンク制御装置１００１のコントローラ１３０１は、主回線６００における受信回線が正常であることを知る。この情報を対向するリンク制御装置１００２へ通知するため、コントローラ１３０１は、メディアコンバータ３００１に接続されている受信側主回線が正常である旨を通知する制御信号である「障害回復信号」を作成し（ステップ２３３）、当該障害回復信号をイーサネット（登録商標）スイッチ素子１２０１を介して、第２の予備データ入出力ポート１４０１へ出力する（ステップ２３４）。
【００９２】
このときイーサネット（登録商標）スイッチ素子１２０１で用いられる障害回復信号の宛先ＭＡＣアドレスは、ブロードキャストアドレスあるいは、マルチキャストアドレスであってもよい。
【００９３】
上記の障害回復信号は、第２の予備データ入出力ポート１４０１から、予備回線４００を介して対向するリンク制御装置１００２の第２の予備データ入出力ポート１４０２へ入力され、イーサネット（登録商標）スイッチ素子１２０２に入力される（ステップ２３５）。イーサネット（登録商標）スイッチ素子１２０２は、障害回復信号の宛先アドレスから、当該障害回復信号は、自リンク制御装置宛の信号であることを検知し、障害回復信号をコントローラ１３０２へ転送する（ステップ２３６）。
【００９４】
コントローラ１３０２は、障害回復信号を受信し、解読し、イーサネット（登録商標）スイッチ素子１２０２が、第１のデータ入出力ポート１１０２から入力されたデータのうち、当該障害回復信号を送信したリンク制御装置１００１宛のデータのみを、第２の主データ入出力ポート１５０２に転送するよう、当該イーサネット（登録商標）スイッチ素子１２０２を設定する。
【００９５】
また、コントローラ１３０２は、第２の主データ入出力ポート１５０２より入力されたデータを、第１のデータ入出力ポート１１０２へ転送するよう、イーサネット（登録商標）スイッチ素子１２０２を設定する（ステップ２３７）。
【００９６】
なお、上記では、障害回復信号は、予備回線４００を用いて転送したが、主ネットワーク７００を用いて転送してもよい。
【００９７】
（６）主回線６００が正常であった場合から、異常な状態に遷移した場合の動作：
以下では、障害発生信号を生成するリンク制御装置を、第１のリンク制御装置１００１とし、対向するリンク制御装置を第２のリンク制御装置１００２として説明するが、第３のリンク制御装置１００３は、第２のリンク制御装置１００２と同様の動作を行う。
【００９８】
また、当該動作は、前述の第１の実施の形態で示した図９におけるシーケンスチャートにおいて、ステップ１４６の対向するリンク制御装置の動作が異なるのみであるので、この部分のみを説明する。
【００９９】
予備回線４００を介して障害発生信号を受信し、解読したコントローラ１３０２は、イーサネット（登録商標）スイッチ素子１２０２が、第１のデータ入出力ポート１１０２より入力されたデータのうち、障害発生信号を送信したリンク制御装置１００１宛のデータのみを、第２の予備データ入出力ポート１４０２に転送するよう、イーサネット（登録商標）スイッチ素子１２０２を設定する（ステップ１４６）。
【０１００】
なお、イーサネット（登録商標）素子１２０において、障害発生／回復信号を送信したリンク制御装置を知る手段としては、当該信号の送信元ＭＡＣアドレスを参照すればよい。
【０１０１】
［第３の実施の形態］
図１３は、本発明の第３の実施の形態におけるリンク制御装置の構成図である。図１４は、本発明の第３の実施の形態におけるリンク制御装置を用いた通信システムの構成を示す。図１３に示すリンク制御装置１００は、第２の主データ入出力ポート１５０と第２の予備データ入出力ポート１４０とを複数対有し、また、複数の障害検出信号入力ポート１６０する。また、図１４に示す通信システムは、第１のリンク制御装置１００１−第２のリンク制御装置１００２、第１のリンク制御装置１００１−第３のリンク制御装置１００３と、が１対１で接続されたスター構成となっている。
【０１０２】
図１４の例では、第１のリンク制御装置１００１に第２のリンク制御装置１００２、第３のリンク制御装置１００３が接続される例を示しているが、第１のリンク制御装置１００１に接続されるリンク制御装置の台数は最大で第２の主データ入出力ポート１５０の数と同数である。
【０１０３】
なお、図１３、図１４では、データリンク層のプロトコルが、イーサネット（登録商標）であるとして構成した。
【０１０４】
図１３に示すリンク制御装置１００は、第１のデータ入出力ポート１１０と、複数の第２の主データ入出力ポート１５０と、第２の主データ入出力ポート１５０と同数の第２の予備データ入出力ポート１４０と、第２の主データ入出力ポート１５０と同数の障害検出信号入力ポート１６０と、データスイッチ素子であるイーサネット（登録商標）スイッチ素子１２０と、コントローラ１３０とで構成される。
【０１０５】
第１のデータ入出力ポート１１０は、イーサネット（登録商標）スイッチ素子１２０を介して、複数の第２の主データ入出力ポート１５０及び複数の第２の予備データ入出力ポート１４０と接続される。また、複数の障害検出信号入力ポート１６０は、コントローラ１３０と接続され、コントローラ１３０は、イーサネット（登録商標）スイッチ素子１２０と接続される。
【０１０６】
各デバイス・ポート類の例は、前述の第１の実施の形態と同様である。
【０１０７】
第３の実施の形態では、第１のリンク制御装置１００１において、第２の主データ入出力ポート１５０、第２の予備データ入出力ポート１４０が複数あり、これらのポートと、当該第１のリンク制御装置１００１と接続される第２、第３、…，第Ｎのリンク制御装置における第２の主データ入出力ポート１５０、第２の予備データ入出力ポート１４０がそれぞれ１対１で接続される。すなわち、当該通信システムのアーキテクチャとしては、スター構成となる。
【０１０８】
動作は、前述の第１の実施の形態において示した（１）〜（６）の動作を、第１のリンク制御装置１００１と第２のリンク制御装置１００２、第１のリンク制御装置１００１と第３のリンク制御装置１００３、第１のリンク制御装置１００１と第Ｎのリンク制御装置１００Ｎとがそれぞれ独立して行うものであり、その内容は第１の実施の形態と同様である。
【０１０９】
例えば、第１のリンク制御装置１００１と第２のリンク制御装置１００２間で通信を行う場合、第１のリンク制御装置１００１のイーサネット（登録商標）スイッチ素子１２０１を、第１のデータ入出力ポート１１０１から入力されたデータのうち、第２のリンク制御装置１００２宛のデータを、第２のリンク制御装置１００２と接続されている主データ入出力ポート１５０１、予備データ入出力ポート１４０１に転送するよう設定する。この動作は、一般的なスイッチングハブと同様の動作である。
【０１１０】
なお、第１のリンク制御装置１００１における複数の第２の予備データ入出力ポート１４０を、図１５に示すように、１つの共通の予備データ入出力ポート１７０で構成してもよい。そのときの通信システムは、図１６に示すように共通の予備データ出力ポート１７０と各リンク制御装置１００２，１００３の第２の予備データ入出力ポート１４０２、１４０３がモデム２００２，２００３を介して接続される。この場合、予備回線４００については複数用意する必要はなく、経済的な通信システムないしは、リンク制御装置が提供できる。
【０１１１】
さらに、第１のリンク制御装置１００１における障害検出信号入力ポート１６０１は、図１７に示すように、共通の障害検出信号入力ポート１８０であってもよい。この場合、リンク制御装置が提供できる、共通の障害検出信号入力ポートへ入力される障害検出信号が、どのメディアコンバータ３００から出力されたものかを識別するためには、例えば、障害検出信号に変調をかけ、変調信号にメディアコンバータの識別子を埋め込んでもよい。
【０１１２】
なお、第２の主データ入出力ポート、第２の予備データ入出力ポート、障害検出信号入力ポートが異なる数での組み合わせでもよい。
【０１１３】
［第４の実施の形態］
図１８は、本発明の第４の実施の形態における上位及び下位リンク制御装置の構成を示す。また、図１９は、本発明の第４の実施の形態におけるリンク制御装置を用いた通信システムの構成を示し、図１８に示すリンク制御装置を用いた例である。
【０１１４】
本実施の形態では、上位リンク制御装置１００Ａは、高速なダウンリンク（上位リンク制御装置から下位リンク制御装置へ向けてデータを転送するリンク）を接続する第２のデータ出力ポート１１２Ａと、双方向リンクを接続する第３のデータ入出力ポート１１３Ａを１対有し、下位リンク制御装置１００Ｂは、高速なダウンリンクを接続する第２のデータ入力ポート１１４Ｂと双方向リンクを接続する第３のデータ入出力ポート１１３Ｂを１対と、障害検出信号入力ポート１６０Ｂとを有し、上位リンク制御装置１００Ａと下位リンク制御装置１００Ｂとは、１対１で接続されている。
【０１１５】
このように、高速なダウンリンクを提供する回線は、例えば、インターネット接続に用いるアクセス回線として用いることができる。実際、ＡＤＳＬ(Asynchronous Digital Subscriber Line:非対称デジタル加入者回線)などに代表されるような、上りに比べて下りのデータ転送速度が速い回線が利用されている。これは、一般的なインターネットの利用用途としては、サーバ・クライアント型のアプリケーションが用いられることが多いため、下りのトラヒックが上りよりも大きくなる傾向にあるからである。なお、図１８、図１９では、データリンク層のプロトコルが、イーサネット（登録商標）であるとして構成した。
【０１１６】
各デバイス・ポート類の例は、前述の第１の実施の形態と同様である。但し、第２のデータ出力ポートは、データの出力のみが可能であり、第２のデータ入力ポートは、データの受信のみが可能である。また、上位リンク制御装置は、高速なダウンリンクを受信しないため、障害検出信入力ポートは存在しない。
【０１１７】
動作としては、前述の第１の実施の形態における主回線が、ダウンリンクのみの回線であるため、障害検出信号の受信や制御信号の生成は、下位リンク制御装置１００Ｂでのみ行われる。
【０１１８】
以下、前述の第１の実施の形態における（１）〜（６）の動作に基づいて上位リンク制御装置１００Ａと下位リンク制御装置１００Ｂとの通信について説明する。
【０１１９】
（１）  予備回線を介した通信開始動作：
上位リンク制御装置１００Ａ、下位リンク制御装置１００Ｂが起動される。
【０１２０】
上位リンク制御装置１００Ａにおいて、コントローラ１３０Ａは、起動直後、イーサネット（登録商標）スイッチ素子１２０Ａを、第１のデータ入出力ポート１１１Ａより入力されたデータを、第３のデータ入出力ポート１１３Ａに転送するように設定する。あるいは、第３のデータ入出力ポート１１３Ａより入力されたデータを、第１のデータ入出力ポート１１１Ａに転送されるよう設定されてもよい。下位リンク制御装置１００Ｂにおいては、コントローラ１３０Ｂはイーサネット（登録商標）スイッチ素子１２０Ｂを、第１の入出力ポートＡ１１１Ｂより入力されたデータを、第３のデータ入出力ポート１１３Ｂに転送するように設定する。あるいは、第２のデータ入力ポート１１４Ｂと第３のデータ入出力ポート１１３Ｂから入力されたデータを多重して、第１の入出力ポート１１１Ｂに転送するように設定する。
【０１２１】
これにより、予備回線４００を介して上位リンク制御装置１００Ａと下位リンク制御装置１００Ｂとの通信を開始する。
【０１２２】
（２）  予備回線を介した通信動作：
下位リンク制御装置１００Ｂが、起動後、障害検出信号入力ポート１６０Ｂに信号の入力がない場合、イーサネット（登録商標）スイッチ素子１２０Ａと１２０Ｂは、上記の（１）の動作を続ける。すなわち、下位リンク制御装置１００Ｂは、上位リンク制御装置１００Ａと、予備回線４００を利用して通信を行う。
【０１２３】
（３）  ダウンリンクが異常である場合の動作：
下位リンク制御装置１００Ｂは、起動後、ダウンリンクの障害発生時には、受信器３６０を介して障害検出信号入力ポート１６０Ｂにダウンリンクの受信障害が発生していることを示す障害検出信号が出力される。
【０１２４】
当該障害検出信号は、障害検出信号入力ポート１６０Ｂを介してコントローラ１３０Ｂで受信され、かつ解読される。これにより、下位リンク制御装置１００Ｂのコントローラ１３０Ｂは、ダウンリンクの受信障害があることを知る。この場合、イーサネット（登録商標）スイッチ素子１２０Ａ，１２０Ｂは、（２）の動作を続ける。
【０１２５】
（４）  主回線６００の受信回線が正常である場合の動作：
図２０は、本発明の第４の実施の形態における動作（４）のシーケンスチャートである。
【０１２６】
下位リンク制御装置１００Ｂは、起動後（ステップ４３０）、ダウンリンクの受信が正常である場合、受信器３６０から下位リンク制御装置１００Ｂの障害検出信号入力ポート１６０Ｂに向けて、ダウンリンクの受信障害が発生していないことを示す障害検出信号が出力される（ステップ４３１）。当該障害検出信号は、障害検出信号入力ポート１６０Ｂを介してコントローラ１３０Ｂで受信され、かつ解読される（ステップ４３２）。これにより、下位リンク制御装置１００Ｂのコントローラ１３０Ｂは、ダウンリンクの受信が正常であることを知る。この情報を上位リンク制御装置１００Ａへ通知するため、コントローラ１３０Ｂは、ダウンリンクの受信が正常である旨を通知する制御信号である「障害回復信号」を生成し（ステップ４３３）、当該障害回復信号をイーサネット（登録商標）スイッチ素子１２０Ｂを介して、第３のデータ入出力ポート１１３Ｂへ出力する（ステップ４３４）。
【０１２７】
上記の障害回復信号は、第３のデータ入出力ポート１１３Ｂから、予備回線４００を介して上位リンク制御装置１００Ａの第３のデータ入出力ポート１１３Ａへ入力され、イーサネット（登録商標）スイッチ素子１２０Ａに入力される（ステップ４３５）。イーサネット（登録商標）スイッチ素子１２０Ａは、障害回復信号の宛先アドレスから、当該障害回復信号は、自リンク制御装置宛の信号であることを検知し、障害回復信号をコントローラ１３０Ａへ転送する（ステップ４３６）。
【０１２８】
コントローラ１３０Ａは、障害回復信号を受信し、解読し、イーサネット（登録商標）スイッチ素子１２０Ａが、第１のデータ入出力ポート１１１Ａから入力されたデータを、第２のデータ出力ポート１１２Ａに転送するよう、当該イーサネット（登録商標）スイッチ素子１２０Ａを設定する（ステップ４３７）。
【０１２９】
また、上位リンク制御装置１００Ａのコントローラ１３０Ａは、第１のデータ入出力ポート１１０Ａより入力されたデータを第２のデータ出力ポート１１２Ａと、第３のデータ入出力ポート１１３Ａへ振り分けて転送するよう、イーサネット（登録商標）スイッチ素子１２０Ａを設定してもよい。
【０１３０】
（５）  ダウンリンクが異常であった場合から、正常な状態に復帰した場合の動作：
リンク制御装置１００Ａ、１００Ｂは、ダウンリンクが異常であった場合から、正常な状態に復帰した場合、上記の（４）と同様の処理を行う。
【０１３１】
（６）  ダウンリンクが正常であった場合から、異常な状態に遷移した場合の動作：
図２１は、本発明の第４の実施の形態における動作（６）のシーケンスチャートである。
【０１３２】
受信器３６０から下位リンク制御装置１００Ｂの障害検出信号入力ポート１６０Ｂに向けて、ダウンリンクに受信障害が発生したことを示す障害検出信号が出力される（ステップ４４０）。障害検出信号は、下位リンク制御装置１００Ｂの障害検出信号入力ポート１６０Ｂを介してコントローラ１３０Ｂで受信され、かつ解読される（ステップ４４１）。これにより、下位リンク制御装置１００Ｂのコントローラ１３０Ｂは、ダウンリンクの受信が異常であることを知る。この情報を上位リンク制御装置１００Ａ通知するため、コントローラ１３０Ｂは、ダウンリンクの受信が異常である旨を通知する制御信号である「障害発生信号」を生成し（ステップ４４２）、当該障害発生信号をイーサネット（登録商標）素子１２０Ｂを介して、第３のデータ入出力ポート１１３Ｂへ出力する（ステップ４４３）。
【０１３３】
障害発生信号は、第２のデータ入出力ポート１１３Ｂから、予備回線４００を介して上位リンク制御装置１００Ａの第３のデータ入出力ポート１１３Ａへ入力され、イーサネット（登録商標）スイッチ素子１２０Ａに入力される（ステップ４４４）。
【０１３４】
上位リンク制御装置１００Ａのイーサネット（登録商標）スイッチ素子１２０Ａは、生涯発生信号の宛先アドレスから障害発生信号が自リンク制御装置１００宛であることを検知し、障害発生信号をコントローラ１３０Ａへ転送する（ステップ４４５）。障害発生信号を受信し、解読したコントローラ１３０Ａは、イーサネット（登録商標）スイッチ素子１２０Ａが、第１のデータ入出力ポート１１０Ａより入力されたデータを、第３のデータ入出力ポート１１３Ａに転送するよう、イーサネット（登録商標）スイッチ素子１２０Ａを設定する（ステップ４４６）。
【０１３５】
［第５の実施の形態］
図２２に示す通信システムは、上位リンク制御装置１００Ａに複数の下位リンク制御装置１００Ｂ，１００Ｃが接続されている、１対多の構成を有する。
【０１３６】
同図に示す上位リンク制御装置１００Ａの第２のデータ出力ポート１１２は、送信器３５０に接続されており、下位リンク制御装置１００Ｂ、１００Ｃの第２のデータ入力ポート１１４は、それぞれ受信器３６０１，３６０２に接続されている。送信器３５０と各受信器３６０１，３６０２は、片方向のみ（上位リンク制御装置１００Ａから下位リンク制御装置１００Ｂ，１００Ｃへの方向）にデータ転送が可能な主ネットワーク８００を介して接続されている。
【０１３７】
なお、図２２に示したように、主ネットワーク８００は、伝送路である光ファイバと、分岐器であるスプリッタで構成されたネットワークであってもよい。この場合、送信器３５０が送信した光信号は、スプリッタで複数に分岐され、同じ内容の信号が各受信器３６０１，３６０２へ届く。なお、同図では、データリンク層のプロトコルが、イーサネット（登録商標）であるとして構成した。
【０１３８】
本実施の形態において、前述の第２の実施の形態と同様に、上位リンク制御装置と下位リンク制御装置は、１対多で接続されている。高速なダウンリンクに転送されるデータは、イーサネット（登録商標）スイッチ素子１２０Ａにおいて選択的に転送される。すなわち、前述の第４の実施の形態における図２０、図２１の動作に加えて、上位リンク制御装置１００Ａにおいて、下位リンク制御装置１００Ｂ，１００Ｃのいずれかから障害回復信号の受信が正しく行われた場合、上位リンク制御装置１００Ａのイーサネット（登録商標）スイッチ素子１２０Ａは、当該下位リンク制御装置１００Ｂ，１００Ｃ宛のデータのみ選択して第２のデータ出力ポート１１２Ａに転送し、送信器３５０、及び主ネットワーク８００を介して、当該下位リンク制御装置１００Ｂ、１００Ｃのいずれかに転送する。なお、障害発生信号を受信した場合も同様の処理を行う。
【０１３９】
なお、主ネットワーク８００にスプリッタを用いた場合、例えば、下位リンク制御装置１００Ｂ宛のデータは、下位リンク制御装置１００Ｃへも転送される。この場合、自下位リンク制御装置及び自身に接続されている第２ないし、第３のネットワーク５００２，５００３宛以外のデータは、イーサネット（登録商標）スイッチ素子１２０２，１２０３にて破棄されるよう設定されていてもよい。
【０１４０】
なお、本発明は、上記の実施の形態に限定されることなく、特許請求の範囲内において種々変更・応用が可能である。
【産業上の利用可能性】
【０１４１】
本発明は、データ通信に用いられる、通信回線障害時にデータリンク層でリンクを制御するリンク制御装置に適用可能である。
【図面の簡単な説明】
【０１４２】
【図１】本発明の原理構成図である。
【図２】本発明の第１の実施の形態におけるリンク制御装置の構成図である。
【図３】本発明の第１の実施の形態におけるリンク制御装置を用いた通信システムの構成図（その１）である。
【図４】本発明の第１の実施の形態におけるリンク制御装置を用いた通信システムの構成図（その２）である。
【図５】本発明の第１の実施の形態におけるリンク制御装置の動作（１）のフローチャートである。
【図６】本発明の第１の実施の形態におけるリンク制御装置の動作（２）のフローチャートである。
【図７】本発明の第１の実施の形態におけるリンク制御装置の動作（３）のフローチャートである。
【図８】本発明の第１の実施の形態におけるリンク制御装置の動作（４）のシーケンスチャートである。
【図９】本発明の第１の実施の形態におけるリンク制御装置の動作（６）のシーケンスチャートである。
【図１０】本発明の第２の実施の形態におけるリンク制御装置を用いて通信システムの構成図である。
【図１１】本発明の第２の実施の形態におけるリンク制御装置の動作（１）のフローチャートである。
【図１２】本発明の第２の実施の形態におけるリンク制御装置の動作（４）のシーケンスチャートである。
【図１３】本発明の第３の実施の形態におけるリンク制御装置の構成図である。
【図１４】本発明の第３の実施の形態におけるリンク制御装置を用いた通信システムの構成図（その１）である。
【図１５】本発明の第３の実施の形態における上位リンク制御装置において共通の予備データ入出力ポートを用いた構成例である。
【図１６】本発明の第３の実施の形態における通信システムの構成図（その２）である。
【図１７】本発明の第３の実施の形態における上位リンク制御装置において共通の障害検出信号入力ポートを用いた構成例である。
【図１８】本発明の第４の実施の形態における上位及び下位リンク制御装置の構成図である。
【図１９】本発明の第４の実施の形態における通信システムの構成図である。
【図２０】本発明の第４の実施の形態における動作（４）のシーケンスチャートである。
【図２１】本発明の第４の実施の形態における動作（６）のシーケンスチャートである。
【図２２】本発明の第５の実施の形態における通信システムの構成図である。
【図２３】従来の無線通信システムの構成を説明する図である。
【符号の説明】
【０１４３】
１０  上位有線ネットワーク
１１  リレーサーバ
１２  光無線送受信装置
１３  電波無線アクセスポイント
２０  通信端末
２１  光無線送受信装置
２２  電波無線クライアント
１００  リンク制御装置、第１のリンク制御装置、第２のリンク制御装置
１００Ａ  上位リンク制御装置
１００Ｂ  下位リンク制御装置
１１０  第１のデータ入出力ポート
１１１  第１のデータ入出力ポート
１１３  第３のデータ入出力ポート
１１２  第２のデータ出力ポート
１１４  第２のデータ入力ポート
１２０  データスイッチ素子、イーサネット（登録商標）スイッチ素子
１３０  コントローラ
１４０  第２の予備データ入出力ポート
１５０  第２の主データ入出力ポート
１６０  障害検出信号入力ポート
１７０  共通の予備データ入出力ポート
１８０  共通の障害検出信号入力ポート
２００  モデム
３００  第１のメディアコンバータ、第２のメディアコンバータ、メディアコンバータ
３５０  送信器
３６０  受信器
４００  予備回線（公衆網）
５００  第１のネットワーク、第２のネットワーク、第３のネットワーク
６００  主回線
６５０  主回線
７００  主回線（広域イーサネット（登録商標）網）
８００  主ネットワーク
【図１】
2006174287.tif 000003
【図２】
2006174287.tif 000004
【図３】
2006174287.tif 000005
【図４】
2006174287.tif 000006
【図５】
2006174287.tif 000007
【図６】
2006174287.tif 000008
【図７】
2006174287.tif 000009
【図８】
2006174287.tif 000010
【図９】
2006174287.tif 000011
【図１０】
2006174287.tif 000012
【図１１】
2006174287.tif 000013
【図１２】
2006174287.tif 000014
【図１３】
2006174287.tif 000015
【図１４】
2006174287.tif 000016
【図１５】
2006174287.tif 000017
【図１６】
2006174287.tif 000018
【図１７】
2006174287.tif 000019
【図１８】
2006174287.tif 000020
【図１９】
2006174287.tif 000021
【図２０】
2006174287.tif 000022
【図２１】
2006174287.tif 000023
【図２２】
2006174287.tif 000024
【図２３】
2006174287.tif 000025